(57)【要約】【課題】連続予告演出の展開のバリエーションを増加させるにあたって、展開の違いを遊技者に把握させ易くすること。【解決手段】連続予告演出では、図柄の変動開始から変動停止までの図柄変動時間の長短によって規定される通常変動サイクル及び短縮変動サイクルの組み合わせにより連続予告演出の展開を増加させるようにした。そして、遊技者は連続予告演出で図柄変動時間の変化に気付かなかったりその変化を見逃したりしても、停止音演出から図柄変動時間の変化を把握可能となる。その結果、連続予告演出では、図柄の変動停止する音声の種類を異ならせることで、展開の違いを遊技者に好適に把握可能となる。したがって、連続予告演出の展開のバリエーションを増加させるにあたって、展開の違いを遊技者に把握させ易くすることができる。【選択図】図１２
2010279559.tif 000002
【特許請求の範囲】
【請求項１】
図柄を変動させてから図柄を確定停止表示するまでを１回とする図柄変動ゲームを表示する表示手段を備え、前記図柄変動ゲームにおいて予め定めた大当り表示結果が表示された場合には、遊技者に有利となる大当り遊技が生起され、前記図柄変動ゲーム中に前記大当り表示結果が表示されるか否かの可能性を示唆する予告演出を前記表示手段に表示可能な遊技機において、
前記予告演出は、１回の図柄変動ゲームにおいて、図柄の変動開始から図柄の変動停止までを１回の変動サイクルとして演出を実行し、複数回の変動サイクルを連続して実行することで前記演出が複数回、連続して実行可能であって、前記演出の実行回数によって前記大当り表示結果が表示されるか否かの可能性が変化する連続予告演出を含み、
前記連続予告演出の前記変動サイクルにおける図柄の変動停止に合わせて音声を出力する停止音出力演出を実行させる停止音演出実行制御手段を備え、
前記連続予告演出は、前記変動サイクルを同じ実行回数分、実行する場合において、前記図柄が確定停止表示されて最終的な表示結果が表示される最終回の変動サイクルよりも前に実行される同一回数目の変動サイクルにて前記図柄の変動開始から最後の図柄の変動停止までの図柄変動時間が異なる少なくとも２種類の図柄変動時間パターンで実行されるように構成されており、
前記図柄変動時間パターンは、前記図柄変動時間が通常図柄変動時間となる通常変動サイクルと、前記図柄変動時間が前記通常図柄変動時間よりも短く設定した短縮変動サイクルとの組み合わせからなり、
前記停止音演出実行制御手段は、前記図柄変動時間パターンに基づく前記連続予告演出における実行される変動サイクルと直前の変動サイクルとで前記通常変動サイクル及び前記短縮変動サイクルの種類が切替わることを契機に該切替わるよりも前の変動サイクルと該切替わる以後の変動サイクルとでは前記停止音出力演出で出力させる音声の種類を異ならせたことを特徴とする遊技機。
【請求項２】
図柄を変動させてから図柄を確定停止表示するまでを１回とする図柄変動ゲームを表示する表示手段を備え、前記図柄変動ゲームにおいて予め定めた大当り表示結果が表示された場合には、遊技者に有利となる大当り遊技が生起され、前記図柄変動ゲーム中に前記大当り表示結果が表示されるか否かの可能性を示唆する予告演出を前記表示手段に表示可能な遊技機において、
前記予告演出は、１回の図柄変動ゲームにおいて、図柄の変動開始から図柄の変動停止までを１回の変動サイクルとして演出を実行し、複数回の変動サイクルを連続して実行することで前記演出が複数回、連続して実行可能であって、前記演出の実行回数によって前記大当り表示結果が表示されるか否かの可能性が変化する連続予告演出を含み、
前記連続予告演出の前記変動サイクルにおける図柄の変動停止に合わせて音声を出力する停止音出力演出を実行させる停止音演出実行制御手段を備え、
前記連続予告演出は、前記変動サイクルを同じ実行回数分、実行する場合において、前記図柄が確定停止表示されて最終的な表示結果が表示される最終回の変動サイクルにて前記図柄の変動開始から最初の図柄の変動停止までの図柄変動時間、又は前記最終回の変動サイクルにて前記図柄の変動開始からリーチ状態を認識し得るリーチ図柄を形成可能な図柄の変動停止までの図柄変動時間が異なる少なくとも２種類の図柄変動時間パターンで実行されるように構成されており、
前記図柄変動時間パターンは、前記図柄変動時間が通常図柄変動時間となる通常変動サイクルと、前記図柄変動時間が前記通常図柄変動時間よりも短く設定した短縮変動サイクルとの組み合わせからなり、
前記停止音演出実行制御手段は、前記図柄変動時間パターンに基づく前記連続予告演出における実行される変動サイクルと直前の変動サイクルとで前記通常変動サイクル及び前記短縮変動サイクルの種類が切替わることを契機に該切替わるよりも前の変動サイクルと該切替わる以後の変動サイクルとでは前記停止音出力演出で出力させる音声の種類を異ならせたことを特徴とする遊技機。
【請求項３】
前記停止音演出実行制御手段は、前記図柄変動時間パターンに基づく前記連続予告演出における実行される変動サイクルと直前の変動サイクルとで前記通常変動サイクル及び前記短縮変動サイクルの種類が切替わることを契機に前記停止音出力演出で出力させる音声の種類を異ならせた以後の前記変動サイクルでは同じ種類の音声を前記停止音出力演出で出力させる請求項１又は請求項２に記載の遊技機。
【請求項４】
前記図柄変動ゲームにおいて予め定めた大当り表示結果を表示するか否かを決定するとともに、前記連続予告演出を実行するか否かを決定する遊技制御手段と、
前記遊技制御手段が決定した前記図柄変動ゲーム及び前記連続予告演出を前記表示手段に実行させる演出制御手段と、を備え、
前記遊技制御手段は、前記連続予告演出を実行すると決定した場合には前記変動サイクルの実行回数を決定し、決定した前記実行回数に対応する複数種類の図柄変動時間パターンの中から１つの図柄変動時間パターンを決定する請求項１〜請求項３のうちいずれか一項に記載の遊技機。
【請求項５】
前記遊技制御手段は、前記大当り表示結果を表示するか否かを決定するとともに、前記連続予告演出を実行するか否かを決定し、前記連続予告演出を実行すると決定した場合には前記変動サイクルの実行回数を決定する主制御部と、
前記主制御部が前記連続予告演出を実行すると決定し、前記変動サイクルの実行回数を決定した場合に、決定した前記実行回数に対応する複数種類の図柄変動時間パターンの中から１つの図柄変動時間パターンを決定する副制御部とからなる請求項４に記載の遊技機。
【請求項６】
前記図柄変動ゲームで実行すべき演出内容を特定可能な複数種類の変動パターンを有し、
前記連続予告演出を実行するか否かの決定と前記変動サイクルの実行回数の決定は前記変動パターンの決定によって決定され、
前記変動サイクルを同じ実行回数分、実行する図柄変動時間パターンにおいては、前記通常変動サイクルと前記短縮変動サイクルを組み合わせた時の合計時間が同じ時間に設定され、
１つの変動パターンには、前記変動サイクルを同じ実行回数分、実行する複数の図柄変動時間パターンが対応付けられている請求項１〜請求項５のうちいずれか一項に記載の遊技機。
【発明の詳細な説明】
【技術分野】
【０００１】
本発明は、１回の図柄変動ゲームにおいて、図柄の変動開始から図柄の変動停止までを１回とする変動サイクルを複数回、実行可能な遊技機に関するものである。
【背景技術】
【０００２】
従来、遊技機の一種であるパチンコ遊技機では、遊技盤に配設した始動入賞口への遊技球の入球を契機に大当りか否かの大当り抽選を行い、その大当り抽選の抽選結果を複数列の図柄を変動させて表示する図柄変動ゲームを実行させることにより導出させている。図柄変動ゲームでは、最終的に確定停止表示された図柄が大当り図柄である場合、遊技者は大当りを認識し得るようになっている。
【０００３】
この種の図柄変動ゲームでは、遊技者の興趣を向上させるために、遊技者に対して「大当り」となる可能性を示唆する様々な演出を行っている。このような演出の一つとして１回の図柄変動ゲームにおいて、複数回の図柄変動ゲームが実行されているかのように演出を行う連続予告演出がある（例えば、特許文献１参照）。そして、連続予告演出では、１回の図柄変動ゲーム中に擬似的に実行される図柄変動ゲーム（以下、変動サイクルと示す場合がある）の回数が多いほど、「大当り」となる可能性、すなわち大当り期待度が高くなるように設定されているのが一般的である。したがって、従来の連続予告演出では、遊技者は、１回でも多くの変動サイクルが実行されることによって、多数の賞球を獲得し得る「大当り」に当選することを期待する。
【先行技術文献】
【特許文献】
【０００４】
【特許文献１】特開２００８−１０４５２４号公報
【発明の概要】
【発明が解決しようとする課題】
【０００５】
また、近年のパチンコ遊技機では、遊技者の興趣を高めるために図柄変動ゲームの演出の多種多様化が望まれており、勿論、連続予告演出のバリエーションの増加も望まれている。この場合、例えば、連続予告演出の種類を増やしたり、変動サイクル毎に演出内容が異なるように設定することで、連続予告演出のバリエーションを増加させることができる。しかしながら、連続予告演出の展開のバリエーションを増加させるために、演出内容の種類を単に増加させる場合には、その展開の違いを遊技者に把握させ難くしてしまう可能性があった。これに関しては、途中の変動サイクルで前回や前々回の変動サイクルで出現した演出など、遊技者自身が覚えておかないといけないような態様となり得る複数回の変動サイクルが行われる連続予告演出では特に顕著であった。
【０００６】
この発明は、このような従来の技術に存在する問題点に着目してなされたものであり、その目的は、連続予告演出の展開のバリエーションを増加させるにあたって、展開の違いを遊技者に把握させ易くすることができる遊技機を提供することにある。
【課題を解決するための手段】
【０００７】
上記問題点を解決するために、請求項１に記載の発明は、図柄を変動させてから図柄を確定停止表示するまでを１回とする図柄変動ゲームを表示する表示手段を備え、前記図柄変動ゲームにおいて予め定めた大当り表示結果が表示された場合には、遊技者に有利となる大当り遊技が生起され、前記図柄変動ゲーム中に前記大当り表示結果が表示されるか否かの可能性を示唆する予告演出を前記表示手段に表示可能な遊技機において、前記予告演出は、１回の図柄変動ゲームにおいて、図柄の変動開始から図柄の変動停止までを１回の変動サイクルとして演出を実行し、複数回の変動サイクルを連続して実行することで前記演出が複数回、連続して実行可能であって、前記演出の実行回数によって前記大当り表示結果が表示されるか否かの可能性が変化する連続予告演出を含み、前記連続予告演出の前記変動サイクルにおける図柄の変動停止に合わせて音声を出力する停止音出力演出を実行させる停止音演出実行制御手段を備え、前記連続予告演出は、前記変動サイクルを同じ実行回数分、実行する場合において、前記図柄が確定停止表示されて最終的な表示結果が表示される最終回の変動サイクルよりも前に実行される同一回数目の変動サイクルにて前記図柄の変動開始から最後の図柄の変動停止までの図柄変動時間が異なる少なくとも２種類の図柄変動時間パターンで実行されるように構成されており、前記図柄変動時間パターンは、前記図柄変動時間が通常図柄変動時間となる通常変動サイクルと、前記図柄変動時間が前記通常図柄変動時間よりも短く設定した短縮変動サイクルとの組み合わせからなり、前記停止音演出実行制御手段は、前記図柄変動時間パターンに基づく前記連続予告演出における実行される変動サイクルと直前の変動サイクルとで前記通常変動サイクル及び前記短縮変動サイクルの種類が切替わることを契機に該切替わるよりも前の変動サイクルと該切替わる以後の変動サイクルとでは前記停止音出力演出で出力させる音声の種類を異ならせたことを要旨とする。
【０００８】
請求項２に記載の発明は、図柄を変動させてから図柄を確定停止表示するまでを１回とする図柄変動ゲームを表示する表示手段を備え、前記図柄変動ゲームにおいて予め定めた大当り表示結果が表示された場合には、遊技者に有利となる大当り遊技が生起され、前記図柄変動ゲーム中に前記大当り表示結果が表示されるか否かの可能性を示唆する予告演出を前記表示手段に表示可能な遊技機において、前記予告演出は、１回の図柄変動ゲームにおいて、図柄の変動開始から図柄の変動停止までを１回の変動サイクルとして演出を実行し、複数回の変動サイクルを連続して実行することで前記演出が複数回、連続して実行可能であって、前記演出の実行回数によって前記大当り表示結果が表示されるか否かの可能性が変化する連続予告演出を含み、前記連続予告演出の前記変動サイクルにおける図柄の変動停止に合わせて音声を出力する停止音出力演出を実行させる停止音演出実行制御手段を備え、前記連続予告演出は、前記変動サイクルを同じ実行回数分、実行する場合において、前記図柄が確定停止表示されて最終的な表示結果が表示される最終回の変動サイクルにて前記図柄の変動開始から最初の図柄の変動停止までの図柄変動時間、又は前記最終回の変動サイクルにて前記図柄の変動開始からリーチ状態を認識し得るリーチ図柄を形成可能な図柄の変動停止までの図柄変動時間が異なる少なくとも２種類の図柄変動時間パターンで実行されるように構成されており、前記図柄変動時間パターンは、前記図柄変動時間が通常図柄変動時間となる通常変動サイクルと、前記図柄変動時間が前記通常図柄変動時間よりも短く設定した短縮変動サイクルとの組み合わせからなり、前記停止音演出実行制御手段は、前記図柄変動時間パターンに基づく前記連続予告演出における実行される変動サイクルと直前の変動サイクルとで前記通常変動サイクル及び前記短縮変動サイクルの種類が切替わることを契機に該切替わるよりも前の変動サイクルと該切替わる以後の変動サイクルとでは前記停止音出力演出で出力させる音声の種類を異ならせたことを要旨とする。
【０００９】
請求項３に記載の発明は、請求項１又は請求項２に記載の遊技機において、前記停止音演出実行制御手段は、前記図柄変動時間パターンに基づく前記連続予告演出における実行される変動サイクルと直前の変動サイクルとで前記通常変動サイクル及び前記短縮変動サイクルの種類が切替わることを契機に前記停止音出力演出で出力させる音声の種類を異ならせた以後の前記変動サイクルでは同じ種類の音声を前記停止音出力演出で出力させることを要旨とする。
【００１０】
請求項４に記載の発明は、請求項１〜請求項３のうちいずれか一項に記載の遊技機において、前記図柄変動ゲームにおいて予め定めた大当り表示結果を表示するか否かを決定するとともに、前記連続予告演出を実行するか否かを決定する遊技制御手段と、前記遊技制御手段が決定した前記図柄変動ゲーム及び前記連続予告演出を前記表示手段に実行させる演出制御手段と、を備え、前記遊技制御手段は、前記連続予告演出を実行すると決定した場合には前記変動サイクルの実行回数を決定し、決定した前記実行回数に対応する複数種類の図柄変動時間パターンの中から１つの図柄変動時間パターンを決定することを要旨とする。
【００１１】
請求項５に記載の発明は、請求項４に記載の遊技機において、前記遊技制御手段は、前記大当り表示結果を表示するか否かを決定するとともに、前記連続予告演出を実行するか否かを決定し、前記連続予告演出を実行すると決定した場合には前記変動サイクルの実行回数を決定する主制御部と、前記主制御部が前記連続予告演出を実行すると決定し、前記変動サイクルの実行回数を決定した場合に、決定した前記実行回数に対応する複数種類の図柄変動時間パターンの中から１つの図柄変動時間パターンを決定する副制御部とからなることを要旨とする。
【００１２】
請求項６に記載の発明は、請求項１〜請求項５のうちいずれか一項に記載の遊技機において、前記図柄変動ゲームで実行すべき演出内容を特定可能な複数種類の変動パターンを有し、前記連続予告演出を実行するか否かの決定と前記変動サイクルの実行回数の決定は前記変動パターンの決定によって決定され、前記変動サイクルを同じ実行回数分、実行する図柄変動時間パターンにおいては、前記通常変動サイクルと前記短縮変動サイクルを組み合わせた時の合計時間が同じ時間に設定され、１つの変動パターンには、前記変動サイクルを同じ実行回数分、実行する複数の図柄変動時間パターンが対応付けられていることを要旨とする。
【発明の効果】
【００１３】
本発明によれば、連続予告演出の展開のバリエーションを増加させるにあたって、展開の違いを遊技者に把握させ易くすることができる。
【図面の簡単な説明】
【００１４】
【図１】パチンコ遊技機の機表側を示す正面図。
【図２】（ａ），（ｂ）は遊技盤を示す拡大図。
【図３】連続予告演出を伴う図柄変動ゲームの態様と連続予告演出を伴わない図柄変動ゲームの態様を示す模式図。
【図４】パチンコ遊技機の電気的構成を示すブロック図。
【図５】主制御基板に記憶される変動パターンを説明する説明図。
【図６】（ａ）は通常はずれ変動の態様を示す模式図、（ｂ）は短縮はずれ変動の態様を示す模式図。
【図７】はずれリーチ演出用と大当り演出用の変動パターン振分けテーブルを示す模式図。
【図８】（ａ）〜（ｃ）は、図柄変動時間パターンの振分けテーブルを示す模式図。
【図９】演出画像振分けテーブルを示す模式図。
【図１０】連続予告演出の態様を示す模式図。
【図１１】停止音フラグを説明する説明図。
【図１２】連続予告演出における停止音演出の態様を示す模式図。
【発明を実施するための形態】
【００１５】
以下、本発明をその一種であるパチンコ遊技機に具体化した一実施形態を図１〜図１２にしたがって説明する。
図１には、パチンコ遊技機１０と該パチンコ遊技機１０が遊技場の遊技機設置設備（遊技島）に設置された際に並設される遊技媒体貸出用ユニットとしてのカードユニット装置１１が略示されている。カードユニット装置１１には、遊技者に貸し出される貸出用遊技媒体としての遊技球（貸し球）と交換可能な交換媒体としてのプリペイドカードを投入するための投入口１１ａが設けられている。カードユニット装置１１は、投入されたプリペイドカードの価値を読み書き可能な構成となっている。具体的に言えば、カードユニット装置１１は、投入時にプリペイドカードの残金（価値）を読込むとともに、貸し球の払出しに伴ってプリペイドカードの残金（価値）を書き替える。
【００１６】
パチンコ遊技機１０の機体の外郭をなす外枠１２の開口前面側には、各種の遊技用構成部材をセットする縦長方形の中枠１３が開放及び着脱自在に組み付けられているとともに、中枠１３の前面側には前枠１４が開閉及び着脱自在に組み付けられている。前枠１４は、図１に示すようにパチンコ遊技機１０を機正面側から見た場合において、中枠１３に重なるように組み付けられている。このため、中枠１３は、前枠１４の後側に配置されており、機正面側からは視認し得ないようになっている。前枠１４は、中央部に窓口１５を有するとともに、該窓口１５の下方にパチンコ遊技機１０の遊技媒体となる遊技球を貯留可能な第１貯留皿としての上皿（貯留皿）１６を一体成形した構成とされている。前枠１４の裏面側には、機内部に配置された遊技盤ＹＢを保護し、かつ窓口１５を覆う大きさのガラスを支持する図示しないガラス支持枠が着脱及び傾動開放可能に組み付けられている。遊技盤ＹＢは、中枠１３に装着される。また、前枠１４には、窓口１５のほぼ全周を囲むように、図示しない発光体（ランプ、ＬＥＤなど）の発光（点灯や点滅）により発光演出を行う電飾表示部を構成する上側枠用ランプ部１７と、左側枠用ランプ部１８と、右側枠用ランプ部１９とが配置されている。各枠用ランプ部１７，１８，１９は、前枠１４の前面に装着される複数の発光体を、該各発光体の発する光を透過可能に成形したランプレンズ１７ａ，１８ａ，１９ａで覆って構成されている。
【００１７】
前枠１４には、窓口１５の左右上部に、各種音声を出力して音声演出を行う左スピーカ２０と、右スピーカ２１とが配置されている。左スピーカ２０と右スピーカ２１は、前枠１４の裏面に装着されており、該前枠１４の前面であって左スピーカ２０及び右スピーカ２１の装着部位に対応する部位には図示しない放音孔が複数形成されている。
【００１８】
中枠１３の前面側であって前枠１４の下部には、上皿１６から溢れ出た遊技球を貯留する第２貯留皿としての下皿（貯留皿）２３が装着されている。また、中枠１３の前面側であって下皿２３の右方には、遊技球を遊技盤ＹＢに発射させる際に遊技者によって回動操作される遊技球発射用の発射ハンドル２４が装着されている。また、前枠１４には、下皿２３の左方に、各種音声を出力して音声演出を行う下スピーカ２５が配置されている。下スピーカ２５は、中枠１３に装着されている。
【００１９】
上皿１６には、その左方側に機内部から払出される遊技球の払出口１６ａが設けられているとともに、遊技者の保有する遊技球を貯留する凹状の貯留通路１６ｂが連設されており、さらに右方側に貯留通路１６ｂ内の遊技球を機内部に取り込む図示しない上皿取込口が設けられている。上皿１６に貯留された遊技球は、貯留通路１６ｂにより前記上皿取込口へ案内されるとともに該上皿取込口を介して１球ずつ機内に取り込まれ、遊技盤ＹＢに向けて発射される。遊技盤ＹＢに向けて発射される遊技球は、発射ハンドル２４の回動量に応じて発射の強弱が設定される。また、下皿２３には、上皿１６から溢れ出て流下した遊技球の出口２３ａが設けられているとともに、遊技球を貯留する凹状の貯留部２３ｂが遊技球の出口２３ａに連設されている。
【００２０】
次に、遊技盤ＹＢの構成について図２にしたがって詳しく説明する。
遊技盤ＹＢの前面には、発射ハンドル２４の操作によって発射された遊技球を誘導し、かつパチンコ遊技の主体となるほぼ円形の遊技領域Ｈ１を形成する誘導レール２６が円形渦巻き状に敷設されている。この誘導レール２６によって遊技盤ＹＢには、該遊技盤ＹＢの左下方から左上方に向かって延びる遊技球の誘導路２６ａが形成されるとともに、誘導レール２６の内側に遊技領域Ｈ１が形成される。また、遊技盤ＹＢの前面であって誘導レール２６の外側となる遊技領域Ｈ１外は、パチンコ遊技に直接関与しない非遊技領域Ｈ２とされている。
【００２１】
遊技盤ＹＢの遊技領域Ｈ１のほぼ中央（センター）には、各種の表示器や各種の飾りを施した表示枠体（センター役物）２７が装着されている。表示枠体２７の略中央には、正面視横長矩形に開口するセット口２７ａが形成されており、当該セット口２７ａに整合して表示枠体２７には液晶ディスプレイ型の画像表示部ＧＨを有する表示手段としての演出表示装置２８が装着されている。演出表示装置２８には、複数列（本実施形態では３列）の図柄列を変動させて行う図柄変動ゲームを含み、該ゲームに関連して実行される各種の表示演出（遊技演出）が画像表示されるようになっている。本実施形態において演出表示装置２８の図柄変動ゲームでは、複数列（本実施形態では３列）の図柄からなる図柄組み合わせを導出する。なお、演出表示装置２８の図柄変動ゲームは、表示演出を多様化するための飾り図柄（演出図柄）を用いて行われる。また、表示枠体２７には、発光により発光演出を行う盤用ランプ部２７ｂが装着されている。
【００２２】
また、表示枠体２７の左下方には、複数個の発光体（本実施形態ではＬＥＤ）を内蔵した発光型の表示装置２９が配置されている。本実施形態の表示装置２９は、特別図柄表示装置３０と、特別図柄保留記憶表示装置３１と、普通図柄表示装置３２と、普通図柄保留記憶表示装置３３とから構成されている。
【００２３】
本実施形態の特別図柄表示装置３０は、表示装置２９の中央に配置された複数個（本実施形態では７個）の発光体（本実施形態ではＬＥＤ）をレンズカバー２９ａで覆って構成した複数個（本実施形態では７個）の特別図柄発光部３０ａ〜３０ｇを備えている。そして、特別図柄表示装置３０では、７個の特別図柄発光部３０ａ〜３０ｇのうち、所定個数（１個以上）の特別図柄発光部の発光体を点灯させて、その点灯した特別図柄発光部の位置と個数によって区別される組み合わせを導出する図柄変動ゲームが発光表示されるようになっている。本実施形態のパチンコ遊技機１０では、図柄変動ゲームで点灯又は消灯する特別図柄発光部を特別図柄として扱っている。特別図柄は、大当りか否かの内部抽選（大当り抽選）の結果を示す報知用の図柄である。
【００２４】
演出表示装置２８と特別図柄表示装置３０では、図柄変動ゲームの開始により同時に図柄（特別図柄と飾り図柄）の変動が開始される。具体的には、図柄変動ゲームの開始に伴って、特別図柄表示装置３０では発光体の点灯及び消灯することで特別図柄の変動が開始する一方で、演出表示装置２８では各列の飾り図柄の変動が開始する。そして、演出表示装置２８と特別図柄表示装置３０には、大当り抽選の抽選結果に基づき、図柄変動ゲームの終了によって同時に大当り図柄（大当り表示結果）又ははずれ図柄（はずれ表示結果）が確定的に停止表示される。このとき、特別図柄表示装置３０と演出表示装置２８では、大当り抽選の抽選結果が大当りである場合には何れの表示装置にも大当り図柄が確定的に停止表示（確定停止表示）され、大当り抽選の抽選結果がはずれである場合には何れの表示装置にもはずれ図柄が確定停止表示される。大当り図柄は、大当り抽選の抽選結果が大当りである場合に図柄変動ゲームで確定停止表示されるものであり、はずれ図柄は、大当り抽選の抽選結果がはずれである場合に図柄変動ゲームで確定停止表示されるものである。
【００２５】
本実施形態において演出表示装置２８の図柄変動ゲームで導出される大当り図柄とはずれ図柄は、各列に導出された飾り図柄の組み合わせによって構成されるとともに、例えば、大当り図柄は全列が同一の飾り図柄からなる組み合わせで構成される一方で、はずれ図柄は全列が同一の飾り図柄にならない組み合わせで構成される。本実施形態において演出表示装置２８には、各列毎に、「１」〜「８」までの数字が飾り図柄として表示されるようになっている。一方、本実施形態において特別図柄表示装置３０の図柄変動ゲームで導出される大当り図柄とはずれ図柄は、特別図柄表示装置３０を構成する発光体において発光した発光体の組み合わせによって構成される。
【００２６】
また、本実施形態のパチンコ遊技機１０では、演出表示装置２８の表示領域（画像表示面）を特別図柄表示装置３０の表示領域よりも大きく形成し、演出表示装置２８を遊技者の正面に目立つように配置している。このため、遊技者は、特別図柄表示装置３０よりも自身の目の前で多彩な画像によって表示演出（例えば、リーチ演出や予告演出）が行われる演出表示装置２８の表示内容に注目し、該演出表示装置２８の図柄変動ゲームで導出されて確定停止表示される図柄組み合わせから大当り又ははずれを認識することになる。
【００２７】
前記リーチ演出は、演出表示装置２８で行われる図柄変動ゲームにおいて予め定めた特定列の飾り図柄が同一の図柄で、かつ特定列以外の列が変動する組み合わせで構成されるリーチ図柄が停止表示されることによって行われる演出である。リーチ図柄は、本実施形態のパチンコ遊技機１０のように３列の飾り図柄を表示させる場合であって図柄の変動停止順序が左列→右列→中列の順に定められている場合、左列の飾り図柄と右列の飾り図柄が同一となる組み合わせで構成される。予告演出は、１回の図柄変動ゲームにおいて該ゲームにおける大当りか否か（大当り表示結果が表示されるか否か）の可能性（すなわち、大当りの期待度）を示唆する演出である。この予告演出は、内部抽選で大当りが決定されている場合の図柄変動ゲームで出現すると、その予告が該ゲームで現実化されて大当りとなる。その一方で、予告演出は、内部抽選ではずれが決定されている場合の図柄変動ゲームで出現すると、その予告が該ゲームで現実化されずにはずれとなる。
【００２８】
図１及び図２の説明に戻り、表示装置２９を構成する特別図柄保留記憶表示装置（始動保留球数表示手段）３１は、特別図柄表示装置３０の上方に配設されており、複数個（本実施形態では４個）の発光体（本実施形態ではＬＥＤ）をレンズカバー２９ａで覆って構成した複数個（本実施形態では４個）の特別図柄保留発光部３１ａ〜３１ｄを備えている。そして、特別図柄保留記憶表示装置３１は、機内部で記憶した特別図柄用の始動保留球の記憶数（以下、「保留記憶数」と示す）を遊技者に報知する。本実施形態のパチンコ遊技機１０は、表示枠体２７の下方に配置される始動入賞口（上始動入賞口３５と下始動入賞口３６）へ遊技球が入球した場合、その入球した遊技球を始動保留球として記憶し、その始動保留球の個数を特別図柄用の保留記憶数として機内部（主制御基板４５の主制御用ＲＡＭ４５ｃ）で記憶するようになっている。特別図柄用の保留記憶数は、保留中（図柄変動ゲーム待機中）の図柄変動ゲームの回数を示している。特別図柄用の保留記憶数は、前記始動入賞口に遊技球が入球することで１加算され、図柄変動ゲームの開始により１減算される。したがって、図柄変動ゲーム中に始動入賞口へ遊技球が入球すると、特別図柄用の保留記憶数は更に加算され、所定の上限数（本実施形態では４個）まで累積されるようになっている。
【００２９】
そして、特別図柄保留記憶表示装置３１は、特別図柄保留発光部３１ａ〜３１ｄの点灯個数により保留中の図柄変動ゲームの回数（始動保留球の個数）を遊技者に報知する構成となっている。具体的に言えば、特別図柄保留記憶表示装置３１は、保留記憶数が「１」の場合には１つの特別図柄保留発光部３１ａのみが点灯して１回の図柄変動ゲームが保留中であることを報知し、保留記憶数が「２」の場合には２つの特別図柄保留発光部３１ａ，３１ｂが点灯して２回の図柄変動ゲームが保留中であることを報知する。また、特別図柄保留記憶表示装置３１は、保留記憶数が「３」の場合には３つの特別図柄保留発光部３１ａ〜３１ｃが点灯して３回の図柄変動ゲームが保留中であることを報知し、保留記憶数が「４」の場合には全ての特別図柄保留発光部３１ａ〜３１ｄが点灯して４回の図柄変動ゲームが保留中であることを報知する。なお、特別図柄用の保留記憶数が「０（零）」の場合は、全ての特別図柄保留発光部３１ａ〜３１ｄが消灯している。
【００３０】
また、表示装置２９を構成する普通図柄表示装置３２は、特別図柄表示装置３０の左方に配設されており、複数個（本実施形態では２個）の発光体（本実施形態ではＬＥＤ）をレンズカバー２９ａで覆って構成した複数個（本実施形態では２個）の普通図柄発光部３２ａ，３２ｂを備えている。普通図柄表示装置３２では、大当りか否かの大当り抽選とは別に行う当りか否か（開閉羽根２８の開動作により下始動入賞口３６を開放するか否か）の内部抽選（当り抽選）の抽選結果を表示する。そして、本実施形態においては、当り抽選で当りを決定している場合には普通図柄変動ゲームで当り図柄として「○（丸）」側の普通図柄発光部３２ａを点灯させるとともに、当り抽選ではずれを決定している場合には普通図柄変動ゲームで「×（ばつ）」側の普通図柄発光部３２ｂを点灯させる。このため、遊技者は、普通図柄表示装置３２の普通図柄変動ゲームで確定的に「○（丸）」側の普通図柄発光部３２ａが点灯することにより当りを認識できるとともに、前記普通図柄変動ゲームで確定的に「×（ばつ）」側の普通図柄発光部３２ｂが点灯することによりはずれを認識できる。本実施形態のパチンコ遊技機１０では、普通図柄変動ゲームで点灯及び消灯する普通図柄発光部を普通図柄として扱っている。
【００３１】
また、表示装置２９を構成する普通図柄保留記憶表示装置３３は、特別図柄表示装置３０の下方に配設されており、複数個（本実施形態では４個）の発光体（本実施形態ではＬＥＤ）をレンズカバー２９ａで覆って構成した複数個（本実施形態では４個）の普通図柄保留発光部３３ａ〜３３ｄを備えている。そして、普通図柄保留記憶表示装置３３は、機内部で記憶した普通図柄用の始動保留球の記憶数（以下、「保留記憶数」と示す）を遊技者に報知する。本実施形態のパチンコ遊技機１０は、表示枠体２７の左方に配置される普通図柄作動ゲート３４へ遊技球が入球した場合、その入球した遊技球を始動保留球として記憶し、その始動保留球の個数を普通図柄用の保留記憶数として機内部（主制御基板４５の主制御用ＲＡＭ４５ｃ）で記憶するようになっている。普通図柄用の保留記憶数は、保留中（普通図柄変動ゲーム待機中）の普通図柄変動ゲームの回数を示している。普通図柄用の保留記憶数は、普通図柄作動ゲート３４に遊技球が入球することで１加算され、普通図柄変動ゲームの開始により１減算される。したがって、普通図柄変動ゲーム中に普通図柄作動ゲート３４へ遊技球が入球すると、普通図柄用の保留記憶数は更に加算され、所定の上限数（本実施形態では４個）まで累積されるようになっている。
【００３２】
そして、普通図柄保留記憶表示装置３３は、普通図柄保留発光部３３ａ〜３３ｄの点灯個数により保留中の普通図柄変動ゲームの回数（始動保留球の個数）を遊技者に報知する構成となっている。具体的に言えば、普通図柄保留記憶表示装置３３は、保留記憶数が「１」の場合には１つの普通図柄保留発光部３３ａのみが点灯して１回の普通図柄変動ゲームが保留中であることを報知し、保留記憶数が「２」の場合には２つの普通図柄保留発光部３３ａ，３３ｂが点灯して２回の普通図柄変動ゲームが保留中であることを報知する。また、普通図柄保留記憶表示装置３３は、保留記憶数が「３」の場合には３つの普通図柄保留発光部３３ａ〜３３ｃが点灯して３回の普通図柄変動ゲームが保留中であることを報知し、保留記憶数が「４」の場合には全ての普通図柄保留発光部３３ａ〜３３ｄが点灯して４回の普通図柄変動ゲームが保留中であることを報知する。なお、普通図柄用の保留記憶数が「０（零）」の場合は、全ての普通図柄保留発光部３３ａ〜３３ｄが消灯している。
【００３３】
また、表示枠体２７の下方の遊技領域Ｈ１には、遊技球の入球口３５ａを有する上始動入賞口３５と遊技球の入球口３６ａを有する下始動入賞口３６が上下方向に並ぶように配置されている。上始動入賞口３５は、常時遊技球の入球を許容し得るように入球口３５ａを常時開放させた構成とされている。一方で、下始動入賞口３６は普通電動役物とされ、図示しないアクチュエータ（ソレノイド、モータなど）の作動により開閉動作を行う開閉羽根３７を備えており、開閉羽根３７が開動作することにより遊技球の入球を許容し得るように入球口３６ａを開放させる構成とされている。換言すれば、下始動入賞口３６は、開閉羽根３７が開動作して入球口３６ａが開放されない限り、遊技球の入球を不能とする構成とされている。
【００３４】
上始動入賞口３５と下始動入賞口３６の各奥方には、入球した遊技球を検知する始動口スイッチＳＷ１，ＳＷ２（図４に示す）が配設されている。上始動入賞口３５と下始動入賞口３６は、入球した遊技球を検知することにより、図柄変動ゲームの始動条件と予め定めた個数の賞球としての遊技球の払出条件を付与し得る。下始動入賞口３６は開閉羽根３７が開動作すると、入口が拡大されて遊技球が入球し易い状態とされる一方で、開閉羽根３７が閉動作すると、入口が拡大されずに遊技球の入球が不能となる状態とされる。
【００３５】
また、下始動入賞口３６の下方の遊技領域Ｈ１には、図示しないアクチュエータ（ソレノイド、モータなど）の作動により開閉動作を行う大入賞口扉３８を備えた大入賞口（特別電動役物）３９が配設されている。大入賞口３９の奥方には、入球した遊技球を検知するカウントスイッチＳＷ３（図４に示す）が配設されている。大入賞口３９は、入球した遊技球を検知することにより、予め定めた個数の賞球としての遊技球の払出条件を付与し得る。そして、大当り遊技が付与されると、大入賞口扉３８の開動作によって大入賞口３９が開放されて遊技球の入球が許容されるため、遊技者は、多数の賞球を獲得できるチャンスを得ることができる。本実施形態において大当り遊技は、多数の賞球を獲得できるチャンスを得られることから、遊技者に有利な状態となる。そして、この大当り遊技は、内部抽選で大当りが決定し、図柄変動ゲームにて大当り図柄（大当り表示結果）が確定停止表示されることを契機に付与される。
【００３６】
大当り遊技は、内部抽選で大当りを決定し、図柄変動ゲームで大当り図柄が確定停止表示されて該ゲームの終了後、開始される。大当り遊技が開始すると、最初に大当り遊技の開始を示すオープニング演出が行われる。オープニング演出終了後には、大入賞口扉３８の開動作により大入賞口３９が開放されるラウンド遊技が予め定めた規定ラウンド数を上限（例えば、１４回）として複数回行われる。１回のラウンド遊技は、大入賞口扉３８の開動作により大入賞口３９が開放されてから大入賞口扉３８の閉動作により大入賞口３９が閉鎖される迄であり、１回のラウンド遊技中に大入賞口３９は、規定入球個数（例えば、９球）の遊技球が入球するまでの間、又は規定時間（例えば、２５秒）が経過するまでの間、開放される。そして、大当り遊技は、規定ラウンド数のラウンド遊技の終了後に大当り遊技の終了を示すエンディング演出が行われて終了する。
【００３７】
また、表示枠体２７の左方の遊技領域Ｈ１には、普通図柄作動ゲート３４が配設されている。普通図柄作動ゲート３４の奥方には、該普通図柄作動ゲート３４へ入球し通過した遊技球を検知する普通図柄変動スイッチＳＷ４（図４に示す）が設けられている。普通図柄作動ゲート３４は、遊技球の通過を契機に、普通図柄変動ゲームの始動条件のみを付与し得る。
【００３８】
また、遊技盤ＹＢの遊技領域Ｈ１の最下方（大入賞口３９よりも下方）には、遊技領域Ｈ１に発射された後、何れの入賞口にも入球しなかった遊技球をアウト球として機外に排出するためのアウト球口４０が形成されている。アウト球口４０を通過した遊技球は、パチンコ遊技機１０の設置設備（遊技島）に配設されたアウト球タンク（図示しない）に排出される。
【００３９】
また、表示枠体２７において画像表示部ＧＨの右方には、図柄変動ゲーム中に動作し、可動演出を行う演出用可動体Ｋが配設されている。本実施形態の演出用可動体Ｋは、刀を模して形成されており、刃部Ｋ１と該刃部Ｋ１を納める鞘部Ｋ２から構成されている。そして、本実施形態において演出用可動体Ｋは、図２（ｂ）に示すように、鞘部Ｋ２から刃部Ｋ１が抜き差しされるかのような動作を実行可能に構成されており、固定された刃部Ｋ１に対して鞘部Ｋ２が上下方向に可動する。鞘部Ｋ２は、図示しないアクチュエータ（モータなど）の作動により可動し、本実施形態では鞘部Ｋ２から抜かれた刃部Ｋ１の量が複数段階に変化し得るように動作が制御される。
【００４０】
また、本実施形態のパチンコ遊技機１０は、確率変動（以下、「確変」と示す）機能を備えている。確変機能は、大当り遊技終了後に大当りの抽選確率（当選確率）が低確率（通常状態）である通常確率から高確率に変動する確変状態を付与する機能である。また、確変状態が付与されると、普通図柄ゲームの変動時間が短縮されるとともに、普通図柄作動ゲート３４の通過に基づく普通図柄ゲームの抽選確率（当り当選確率）が低確率である通常確率から高確率に変動する入球率向上状態が特典として付与されるようなっている。入球率向上状態において、下始動入賞口３６の開閉羽根３７は、確変状態が付与されている場合と、入球率向上状態が付与されていない通常状態の場合とでは、普通図柄ゲームにおいて当選した際、異なる動作パターンで開閉動作するようになっている。通常状態時に普通図柄ゲームに当選する場合には、開閉羽根３７が１回開放し、開放してから１００ｍｓ経過するまで開放状態を維持するようになっている。また、確変状態時に普通図柄ゲームに当選する場合には、開閉羽根３７が開放する回数が増加（例えば、３回）するとともに、１回の開放において開放してから１４００ｍｓ（通常状態に比較して長い時間）が経過するまで開放状態を維持するようになっている。すなわち、開閉羽根３７は、確変状態が付与されている場合、通常状態が付与されている状態に比較して、遊技者にとって有利に動作するように設定されている。確変状態が付与されると、大当りの抽選確率が高確率に変動して大当りが生起され易くなるため、確変状態は遊技者にとって有利であり、遊技者は確変大当りになることを期待しつつ遊技を行っている。
【００４１】
また、確変状態は、予め定めた回数（本実施形態では１００００回）の図柄変動ゲームが行われる迄の間、又は前記回数に達する前に大当りが生起される迄の間、付与される。すなわち、確変状態は、予め定めた回数に相当する図柄変動ゲームの終了時迄の間、又は前記回数に達する前に大当りが生起される図柄変動ゲームの終了時迄の間、付与される。本実施形態では、確変状態を予め定めた回数として１００００回を定めているため、実質的に次回の大当りが生起される迄の間付与されることと同等となっている。
【００４２】
また、本実施形態のパチンコ遊技機１０は、変動時間短縮（以下、「時短」と示す）機能を備えている。時短機能は、大当り遊技終了後に大当りの抽選確率（当選確率）を低確率（通常状態）として、入球率向上状態を特典として付与する機能である。また、時短状態が付与されると、大当りの抽選確率は低確率であるが、入球率向上状態が特典として付与されるようになっている。すなわち、開閉羽根３７は、時短状態が付与されている場合、通常状態が付与されている状態に比較して、遊技者にとって有利に動作するように設定されている。そして、時短状態は、予め定めた回数（本実施形態では１００回）の図柄変動ゲームが行われる迄の間、又は前記回数に達する前に大当りが生起される迄の間、付与される。すなわち、時短状態は、予め定めた回数に相当する図柄変動ゲームの終了時迄の間、又は前記回数に達する前に大当りが生起される図柄変動ゲームの終了時迄の間、付与される。
【００４３】
本実施形態では、大当り遊技終了後に確変状態を付与する（抽選確率が高確率である状態が付与される）大当りが確変大当りとなり、大当り遊技終了後に確変状態が付与されない（抽選確率が低確率である非確変状態が付与される）大当りが非確変大当りとなる。そして、本実施形態のパチンコ遊技機１０では、飾り図柄による大当り図柄の種類から、確変大当り又は非確変大当りの何れの大当りであるかを認識し得るように構成されている。
【００４４】
具体的に言えば、「１」〜「８」の数字からなる図柄のうち、奇数図柄で構成される大当り図柄（［１１１］［３３３］［５５５］［７７７］の組み合わせ）から確変大当りを認識し得る。その一方で、偶数図柄で構成される大当り図柄（［２２２］［４４４］［６６６］［８８８］）から非確変大当りを認識し得るように構成されている。また、特別図柄は、確変大当りの特別図柄と非確変大当りの特別図柄とに分類されている。
【００４５】
このように構成された本実施形態のパチンコ遊技機１０は、１回の図柄変動ゲームにおいて、図柄の変動開始から図柄の変動停止までを１回とする変動サイクルを複数回、連続して実行する連続予告演出を実行可能に構成されている。なお、連続予告演出は、演出表示装置２８と特別図柄表示装置３０で行われる１回の図柄変動ゲームにおいて、演出表示装置２８のみで演出として表現される。１回の図柄変動ゲームは、図柄（特別図柄と飾り図柄）の変動開始によって開始し、図柄の変動が停止した後に図柄が確定停止表示されることによって終了する。この１回の図柄変動ゲームは、１球の始動保留球に対応して実行されるものである。すなわち、連続予告演出を伴う１回の図柄変動ゲームは、内部制御において１回の図柄変動ゲームを、恰も複数回の図柄変動ゲームが連続して行われているかのように擬似的に演出表現してなされるものである。そして、本実施形態の連続予告演出を伴う１回の図柄変動ゲームは、当該ゲームを構成する変動サイクルの実行回数によって大当り表示結果（大当り図柄）が表示されるか否かの可能性が変化するように構成されている。すなわち、本実施形態のパチンコ遊技機１０は、大当り抽選に当選した場合には大当り抽選に当選していない場合に比して変動サイクルの実行回数が多い連続予告演出を伴って図柄変動ゲームが行われ易くなっている。
【００４６】
図柄の変動とは、演出表示装置２８及び特別図柄表示装置３０における表示図柄の種類を変化させながら図柄又は図柄列が動作している状態を示す。例えば、演出表示装置２８における図柄の変動は、画像表示部ＧＨにおいて図柄列が予め定めた表示順序にしたがって図柄をスクロール表示させるように動作している状態を示す。スクロール表示には、全ての図柄列が画像表示部ＧＨを上下方向に横切る縦スクロール表示と、全ての図柄列が画像表示部ＧＨを左右方向に横切る横スクロール表示がある。また、図柄の変動停止とは、演出表示装置２８及び特別図柄表示装置３０において図柄が停止して表示されている状態を示す。そして、演出表示装置２８における図柄の停止には、一旦停止状態での表示（一旦停止表示）と確定停止状態での表示（確定停止表示）がある。一方、特別図柄表示装置３０における図柄の停止には、確定停止状態での表示（確定停止表示）のみがある。
【００４７】
図３は、連続予告演出を伴わない図柄変動ゲームの態様と連続予告演出を伴う図柄変動ゲームの態様を模式的に示す。図３に示すように、図柄変動ゲームの終了時の保留記憶数が「４」の状態において、次の図柄変動ゲームが連続予告演出を伴わない場合には、当該ゲームの開始時に保留記憶数が１減算されて「３」となり、画像表示部ＧＨにおいて各列の図柄の変動が開始する。なお、図３では、図柄の変動が開始することを「始動」と示している。そして、開始した図柄変動ゲームは、各列の図柄の変動が停止し、変動開始から所定時間が経過することにより図柄が確定停止表示されて終了する。すなわち、連続予告演出を伴わない図柄変動ゲームは、１回の変動サイクルのみで構成されているとも言える。
【００４８】
次に、図柄変動ゲームの終了時の保留記憶数が「３」の状態において、次の図柄変動ゲームが連続予告演出を伴う場合には、当該ゲームの開始時に保留記憶数が１減算されて「２」となり、画像表示部ＧＨにおいて各列の図柄の変動が開始する。図３には、連続予告演出を伴う図柄変動ゲームとして、３回の変動サイクルで構成した図柄変動ゲームを示している。そして、開始した図柄変動ゲームは、各列の図柄の変動が停止して図柄が一旦停止表示され、その状態から２回目の変動サイクルの開始に伴って図柄が再び変動を開始する。そして、２回目の変動サイクルにおいて各列の図柄の変動が停止して図柄が一旦停止表示され、その状態から３回目の変動サイクルの開始に伴って図柄が再び変動を開始する。その後、３回目の変動サイクルでは、左列と右列の図柄が同一図柄となって一旦停止表示されることによりリーチが形成され、リーチ演出が行われる。そして、図柄変動ゲームは、リーチ演出により中列の図柄が導出されることにより各列の図柄の変動が停止した後、図柄が確定停止表示されて終了する。この図柄変動ゲームが行われている間、保留記憶数は、始動入賞口に新たな入球が無い場合、図柄変動ゲームの開始時の「２」を維持し、変動サイクルの開始に伴って保留記憶数が減算されるようには変化しない。なお、始動入賞口に新たな入球があった場合には、保留記憶数が１加算されて増加する。このような連続予告演出を伴う図柄変動ゲームでは、３回目の変動サイクル、すなわち最終回の変動サイクルにて最終的な表示結果（大当り図柄又ははずれ図柄）が導出され、最終回の変動サイクルよりも前の全ての回の変動サイクルにてはずれ図柄が導出される。
【００４９】
次に、図柄変動ゲームの終了時の保留記憶数が「２」の状態において、次の図柄変動ゲームが連続予告演出を伴わない場合には、当該ゲームの開始時に保留記憶数が１減算されて「１」となり、画像表示部ＧＨにおいて各列の図柄の変動が開始する。そして、開始した図柄変動ゲームは、各列の図柄の変動が停止し、変動開始から所定時間が経過することにより図柄が確定停止表示されて終了する。
【００５０】
次に、パチンコ遊技機１０の電気的構成について図４にしたがって説明する。
パチンコ遊技機１０の機裏側には、パチンコ遊技機１０全体を制御する主制御部としての主制御基板４５が装着されている。主制御基板４５は、パチンコ遊技機１０全体を制御するための各種処理を実行し、該処理結果に応じて遊技を制御するための各種の制御指令としての制御信号（制御コマンド）を演算処理し、該制御信号（制御コマンド）を出力する。また、機裏側には、副制御部としてのサブ統括制御基板４６と、演出制御手段としての演出表示制御基板４７と、音声・ランプ制御基板４８が装着されている。本実施形態では、主制御基板４５とサブ統括制御基板４６によって遊技制御手段が構成されている。
【００５１】
サブ統括制御基板４６は、主制御基板４５が出力した制御信号（制御コマンド）に基づき、演出表示制御基板４７、及び音声・ランプ制御基板４８を統括的に制御する。演出表示制御基板４７は、主制御基板４５とサブ統括制御基板４６が出力した制御信号（制御コマンド）に基づき、演出表示装置２８の表示態様（図柄、背景、文字などの表示画像など）を制御する。また、音声・ランプ制御基板４８は、主制御基板４５とサブ統括制御基板４６が出力した制御信号（制御コマンド）に基づき、各種ランプ部１７〜１９，２７ｂの発光態様（点灯（点滅）／消灯のタイミングなど）及びスピーカ２０，２１，２５の音声出力態様（音声出力のタイミングなど）を制御する。
【００５２】
以下、主制御基板４５、サブ統括制御基板４６、演出表示制御基板４７及び音声・ランプ制御基板４８について、その具体的な構成を説明する。
主制御基板４５には、制御動作を所定の手順で実行することができる主制御用ＣＰＵ４５ａと、主制御用ＣＰＵ４５ａの制御プログラムを格納する主制御用ＲＯＭ４５ｂと、必要なデータの書き込み及び読み出しができる主制御用ＲＡＭ４５ｃが設けられている。主制御用ＣＰＵ４５ａには、主制御用ＲＯＭ４５ｂと主制御用ＲＡＭ４５ｃが接続されている。また、主制御用ＣＰＵ４５ａには、上始動入賞口３５に入球した遊技球を検知する始動口スイッチＳＷ１と、下始動入賞口３６に入球した遊技球を検知する始動口スイッチＳＷ２と、大入賞口３９に入球した遊技球を検知するカウントスイッチＳＷ３と、普通図柄作動ゲート３４を通過した遊技球を検知する普通図柄変動スイッチＳＷ４が接続されている。また、主制御用ＣＰＵ４５ａには、図柄表示基板４９を介して、特別図柄表示装置３０と、特別図柄保留記憶表示装置３１と、普通図柄表示装置３２と、普通図柄保留記憶表示装置３３が接続されている。図柄表示基板４９は、表示装置２９と対応する位置に装着されており、各表示装置３０〜３３を構成する発光体（本実施形態ではＬＥＤ）が装備されている。そして、図柄表示基板４９は、主制御基板４５が出力する制御信号（ＬＥＤの点灯（ＯＮ）／消灯（ＯＦＦ）を指示する信号）を入力し、各表示装置３０〜３３の発光体を点灯及び消灯させる。
【００５３】
また、主制御用ＣＰＵ４５ａは、大当り判定用乱数（大当り抽選用乱数）や変動パターン振分用乱数などの各種乱数の値を所定の周期毎に更新し、更新後の値を主制御用ＲＡＭ４５ｃの設定領域に記憶（設定）することで更新前の値を書き換えており、乱数更新処理（乱数生成処理）を実行する。大当り判定用乱数は、大当りを付与するか否かの大当り判定（大当り抽選）で用いる乱数である。変動パターン振分用乱数は、図柄変動ゲームの変動時間と変動内容（演出内容）を決定する際に用いる乱数である。また、本実施形態の主制御用ＣＰＵ４５ａはタイマ機能を搭載しており、所定のタイミング（例えば、図柄変動ゲームを開始するタイミング）で時間を計測する。
【００５４】
主制御用ＲＯＭ４５ｂには、前記制御プログラムに加え、複数種類の変動パターンと各種判定値（大当り判定値など）が記憶されている。変動パターンは、演出表示装置２８及び特別図柄表示装置３０において図柄の変動開始による図柄変動ゲームが開始してから、演出表示装置２８及び特別図柄表示装置３０において図柄が確定停止表示されて図柄変動ゲームが終了するまでの変動時間と演出内容を特定するためのパターンである。この変動パターンに基づき特別図柄表示装置３０では、特別図柄の変動が開始してから、変動パターンに定める変動時間の経過時に変動が停止し、大当り図柄又ははずれ図柄が確定停止表示される図柄変動ゲームが実行される。一方、変動パターンに基づき演出表示装置２８では、飾り図柄の変動が開始してから、変動パターンで特定される演出内容で各種遊技演出が行われるとともに変動パターンに定める変動時間の経過時に変動が停止し、大当り図柄又ははずれ図柄を確定停止表示させる図柄変動ゲームが実行される。そして、変動パターンは、大当り演出用、はずれリーチ演出用及びはずれ演出用からなる演出内容毎に分類されている。
【００５５】
大当り演出では、演出表示装置２８において図柄変動ゲームがリーチ演出を経て最終的に大当り図柄を確定停止表示させるように展開されるとともに、特別図柄表示装置３０において図柄変動ゲームが大当り図柄を確定停止表示させるように展開される。はずれリーチ演出は、演出表示装置２８において図柄変動ゲームがリーチ演出を経て最終的にはずれ図柄を確定停止表示させるように展開されるとともに、特別図柄表示装置３０において図柄変動ゲームがはずれ図柄を確定停止表示させるように展開される。はずれ演出は、演出表示装置２８において図柄変動ゲームがリーチ演出を経ることなく最終的にはずれ図柄を確定停止表示させるように展開されるとともに、特別図柄表示装置３０において図柄変動ゲームがはずれ図柄を確定停止表示させるように展開される。なお、特別図柄表示装置３０では、図柄変動ゲームが開始されると、リーチ演出を行うことなく、変動時間の経過時まで図柄の変動が継続される。
【００５６】
大当り判定値は、大当り判定で用いる判定値であり、大当り判定用乱数の取り得る数値の中から定められている。例えば、大当り判定用乱数の取り得る数値を「０（零）」〜「５９９」までの全６００通りの整数に設定し、その値の中から大当り判定値として２つの値を設定した場合、大当り判定が肯定判定される割合、すなわち大当りの当選確率は６００分の２（３００分の１）となる。
【００５７】
図５は、本実施形態のパチンコ遊技機１０において、主制御用ＲＯＭ４５ｂに記憶されている変動パターンの一部を示している。図５における「擬似連」は、連続予告演出を伴う１回の図柄変動ゲームを示す。
【００５８】
変動パターンＰ１，Ｐ２は、何れも大当り判定の判定結果がはずれであって、はずれリーチ演出を実行しない場合に選択されるはずれ演出用の変動パターンである。そして、変動パターンＰ１，Ｐ２は、図柄の変動を開始させてから図柄の変動停止によりはずれ図柄を導出し、変動時間の経過時にはずれ図柄を確定停止表示させる変動態様とされ、はずれ図柄を導出するまでの過程と変動時間が相違する。
【００５９】
具体的に言えば、変動パターンＰ１には、変動内容として「通常はずれ」の変動態様（通常はずれ変動）が対応付けられている。本実施形態の通常はずれ変動では、演出表示装置２８において図柄の変動が開始してから、予め定めた変動停止順序にしたがって図柄の変動を停止させ、はずれ図柄を導出する。本実施形態の変動停止順序は、図柄の変動開始から最初に変動が停止する第１変動停止列を「左列」とし、次に変動が停止する第２変動停止列を「右列」とし、最後に変動が停止する第３変動停止列を「中列」と定めている。そして、通常はずれ変動では、図６（ａ）に示すように、図柄の変動開始から第１変動停止時間ＴＬ１の経過時に第１変動停止列（左列）の変動が停止し、次に図柄の変動開始から第２変動停止時間ＴＲ１（＞第１変動停止時間ＴＬ１）の経過時に第２変動停止列（右列）の変動が停止する。また、通常はずれ変動では、図６（ａ）に示すように、図柄の変動開始から第３変動停止時間ＴＣ１（＞第２変動停止時間ＴＲ１）の経過時に第３変動停止列（中列）の変動が停止する。本実施形態の通常はずれ変動では、第１変動停止時間ＴＬ１を「１００００（ｍｓ）」に定めている。
【００６０】
一方、変動パターンＰ２には、変動内容として「短縮はずれ」の変動態様（短縮はずれ変動）が対応付けられている。本実施形態の短縮はずれ変動では、通常はずれ変動と同様に、演出表示装置２８において図柄の変動が開始してから、予め定めた変動停止順序にしたがって図柄の変動を停止させ、はずれ図柄を導出する。このとき、短縮はずれ変動では、第１変動停止列（左列）の第１変動停止時間が通常はずれ変動における第１変動停止列の第１変動停止時間ＴＬ１よりも早く、かつ全ての図柄の変動が停止するまでの時間（すなわち、第３変動停止列の変動が停止するまでの時間）が通常はずれ変動よりも早く停止する。このため、短縮はずれ変動では、図６（ｂ）に示すように、図柄の変動開始から第１変動停止時間ＴＬ２（＜第１変動停止時間ＴＬ１）の経過時に第１変動停止列（左列）の変動が停止し、次に図柄の変動開始から第２変動停止時間ＴＲ２（＞第１変動停止時間ＴＬ２）の経過時に第２変動停止列（右列）の変動が停止する。また、短縮はずれ変動では、図６（ｂ）に示すように、図柄の変動開始から第３変動停止時間ＴＣ２（＞第２変動停止時間ＴＲ２）の経過時に第３変動停止列（中列）の変動が停止する。本実施形態の短縮はずれ変動では、第１変動停止時間ＴＬ２を「５０００（ｍｓ）」に定めており、通常はずれ変動の第１変動停止時間ＴＬ１の２分の１の時間に定めている。なお、短縮はずれ変動の第２変動停止時間ＴＲ２及び第３変動停止時間ＴＣ２についても、通常はずれ変動の第２変動停止時間ＴＲ１及び第３変動停止時間ＴＣ２よりも短くなっている。
【００６１】
また、本実施形態において変動パターンＰ１，Ｐ２は、図柄変動ゲームの開始時における保留記憶数に応じて選択されるようになっている。具体的に言えば、変動パターンＰ１は、大当り判定の判定結果がはずれの場合であって保留記憶数が「３（予め定めた所定値）」未満の場合に選択される。その一方で、変動パターンＰ２は、大当り判定の判定結果がはずれの場合であって保留記憶数が「３（予め定めた所定値）」以上の場合に選択される。
【００６２】
変動パターンＰ３，Ｐ４は、何れも変動内容に「ノーマルリーチ」の変動態様が対応付けられており、変動時間が相違している。そして、変動パターンＰ３は、大当り判定の判定結果がはずれであって、はずれリーチ演出を実行する場合に選択される変動パターンとなっている。一方、変動パターンＰ４は、大当り判定の判定結果が大当りである場合に選択される変動パターンとなっている。変動パターンＰ３，Ｐ４では、演出表示装置２８において図柄の変動が開始してから、第１変動停止列（左列）と第２変動停止列（右列）を前記変動停止順序にしたがって変動を停止させるとともに同一図柄を導出してリーチを形成し、ノーマルリーチのリーチ演出にて第３変動停止列（中列）の変動を停止させて図柄を導出する。このとき、変動パターンＰ３の場合には、第３変動停止列の変動停止によって第１変動停止列及び第２変動停止列に導出された図柄とは異なる図柄（リーチを認識し得るリーチ図柄とは異なる図柄）が導出されて、変動時間の経過時にはずれ図柄が確定停止表示される。一方、変動パターンＰ４の場合には、第３変動停止列の変動停止によって第１変動停止列及び第２変動停止列に同一図柄（リーチを認識し得るリーチ図柄と同じ図柄）が導出されて、変動時間の経過時に大当り図柄が確定停止表示される。なお、変動パターンＰ３，Ｐ４における第１変動停止列の第１変動停止時間と第２変動停止列の第２変動停止時間は、変動パターンＰ１の「通常はずれ変動」における第１変動停止列の第１変動停止時間ＴＬ１と第２変動停止列の第２変動停止時間ＴＲ１とそれぞれ同じ時間を定めている。
【００６３】
変動パターンＰ５〜Ｐ１０は、何れも変動内容として連続予告演出を伴う図柄変動ゲーム（擬似連）を行うパターンとされており、連続予告演出を構成する変動サイクルの実行回数と変動時間が相違している。
【００６４】
変動パターンＰ５（Ｐ５−１，Ｐ５−２，Ｐ５−３）と変動パターンＰ６（Ｐ６−１，Ｐ６−２，Ｐ６−３）は、何れも連続予告演出を構成する変動サイクルの実行回数を「２回」に定めたパターンとされている。そして、３種類の変動パターンＰ５は、何れも大当り判定の判定結果がはずれであって、はずれリーチ演出を実行する場合に選択される変動パターンとなっている。一方、３種類の変動パターンＰ６は、何れも大当り判定の判定結果が大当りであって、大当り演出を実行する場合に選択される変動パターンとなっている。
【００６５】
変動パターンＰ５−１，Ｐ６−１では、演出表示装置２８で図柄の変動が開始してから、２回の変動サイクルからなる連続予告演出を実行し、２回目（最終回）の変動サイクルでリーチを形成した後、ノーマルリーチのリーチ演出を経てはずれ図柄（Ｐ５−１）又は大当り図柄（Ｐ６−１）を導出する。変動パターンＰ５−２，Ｐ６−２では、演出表示装置２８で図柄の変動が開始してから、２回の変動サイクルからなる連続予告演出を実行し、２回目（最終回）の変動サイクルでリーチを形成した後、スーパー１（図５には「ＳＰ１」と示す）リーチのリーチ演出を経てはずれ図柄（Ｐ５−２）又は大当り図柄（Ｐ６−２）を導出する。変動パターンＰ５−３，Ｐ６−３は、演出表示装置２８で図柄の変動が開始してから、２回の変動サイクルからなる連続予告演出を実行し、２回目（最終回）の変動サイクルでリーチを形成した後、スーパー２（図５には「ＳＰ２」と示す）リーチのリーチ演出を経てはずれ図柄（Ｐ５−３）又は大当り図柄（Ｐ６−３）を導出する。
【００６６】
スーパーリーチは、リーチ演出の演出内容が２段階で構成されたものであり、ノーマルリーチを経由して行われる演出である。スーパーリーチのリーチ演出では、ノーマルリーチが１段階目となる。そして、スーパー１リーチの演出内容とスーパー２リーチの演出内容は、例えば、登場するキャラクタが相違したり、登場するキャラクタは同じであっても、登場キャラクタの動作が相違したりするように構成されている。すなわち、ノーマルリーチ、スーパー１リーチ及びスーパー２リーチは、これらの演出を視認する遊技者が相違を明らかに認識し得るように演出内容が構成されている。
【００６７】
変動パターンＰ７（Ｐ７−１，Ｐ７−２）と変動パターンＰ８（Ｐ８−１，Ｐ８−２）は、何れも連続予告演出を構成する変動サイクルの実行回数を「３回」に定めたパターンとされている。２種類の変動パターンＰ７は、何れも大当り判定の判定結果がはずれであって、はずれリーチ演出を実行する場合に選択される変動パターンとなっている。一方、２種類の変動パターンＰ８は、何れも大当り判定の判定結果が大当りであって、大当り演出を実行する場合に選択される変動パターンとなっている。
【００６８】
変動パターンＰ７−１，Ｐ８−１では、演出表示装置２８で図柄の変動が開始してから、３回の変動サイクルからなる連続予告演出を実行し、３回目（最終回）の変動サイクルでリーチを形成した後、スーパー１リーチのリーチ演出を経てはずれ図柄（Ｐ７−１）又は大当り図柄（Ｐ８−１）を導出する。また、変動パターンＰ７−２，Ｐ８−２では、演出表示装置２８で図柄の変動が開始してから、３回の変動サイクルからなる連続予告演出を実行し、３回目（最終回）の変動サイクルでリーチを形成した後、スーパー２リーチのリーチ演出を経てはずれ図柄（Ｐ７−２）又は大当り図柄（Ｐ８−２）を導出する。
【００６９】
変動パターンＰ９と変動パターンＰ１０は、何れも連続予告演出を構成する変動サイクルの実行回数を「４回」に定めたパターンとされている。変動パターンＰ９は、大当り判定の判定結果がはずれであって、はずれリーチ演出を実行する場合に選択される変動パターンとなっている。一方、変動パターンＰ１０は、大当り判定の判定結果が大当りであって、大当り演出を実行する場合に選択される変動パターンとなっている。そして、変動パターンＰ９では、演出表示装置２８で図柄の変動が開始してから、４回の変動サイクルからなる連続予告演出を実行し、４回目（最終回）の変動サイクルにおいてリーチを形成した後、スーパー２リーチのリーチ演出を経てはずれ図柄を導出する。また、変動パターンＰ１０では、演出表示装置２８で図柄の変動が開始してから、４回の変動サイクルからなる連続予告演出を実行し、４回目（最終回）の変動サイクルにおいてリーチを形成した後、スーパー２リーチのリーチ演出を経て大当り図柄を導出する。
【００７０】
図７は、主制御用ＲＯＭ４５ｂに記憶されるはずれリーチ演出用の変動パターン振分テーブルと大当り演出用の変動パターン振分テーブルを模式的に図示している。図７に示すように、はずれリーチ演出用の変動パターン振分テーブルには、変動パターンＰ３，Ｐ５−１，Ｐ５−２，Ｐ５−３，Ｐ７−１，Ｐ７−２，Ｐ９が振分けられている。また、図７に示すように、大当り演出用の変動パターン振分テーブルには、変動パターンＰ４，Ｐ６−１，Ｐ６−２，Ｐ６−３，Ｐ８−１，Ｐ８−２，Ｐ１０が振分けられている。そして、はずれリーチ演出用の変動パターン振分けテーブルに振分けられた変動パターンと、大当り演出用の変動パターン振分けテーブルに振分けられた変動パターンには、それぞれに変動パターン振分用乱数の値が所定個数ずつ振り分けられている。これらのはずれリーチ演出用と大当り演出用の各変動パターン振分けテーブルにおける変動パターン振分用乱数の振分け態様により、各変動パターンに基づく変動内容が出現した際の大当り期待度（大当りになる可能性）が規定されるようになっている。図７に示す各数値は変動パターン振分用乱数の値を示し、括弧内は選択率を示す。
【００７１】
具体的に言えば、連続予告演出を伴わずノーマルリーチを実行する変動パターンＰ３，Ｐ４を比較した場合、はずれリーチ演出用の変動パターンＰ３の方が大当り演出用の変動パターンＰ４よりも出現率が高められている。このため、図柄変動ゲームにおいてノーマルリーチのみが実行された場合（スーパーリーチに発展しなかった場合）には、はずれとなる可能性が高くなる。
【００７２】
また、連続予告演出を実行させる変動パターンについては、変動サイクルの回数が多くなるほど、大当りとなる場合に選択される選択率が高められている。一方で、はずれとなる場合に選択される選択率は、低くなっている。また、連続予告演出を実行させる変動パターンについては、変動サイクルの回数が同じ場合にあってはノーマルリーチのみよりもスーパー１リーチの方が大当りとなる場合に選択される選択率が高く、さらにスーパー１リーチよりもスーパー２リーチの方が大当りとなる場合に選択される選択率が高められている。そして、連続予告演出を実行させる変動パターンでは、変動サイクルの実行回数が多いほど、最終回の変動サイクルにおいて大当り期待度を高く設定したリーチ演出（本実施形態ではスーパー２リーチ）が実行され易いようになっている。このため、遊技者は、連続予告演出を伴う図柄変動ゲームが実行された場合、連続予告演出を構成する変動サイクルの回数によって大当りに対する期待感を変化し得る。また、遊技者は、連続予告演出を伴う図柄変動ゲームが実行された場合、最終回の変動サイクルにおいて実行されるリーチ演出の種類によって大当りに対する期待感を変化し得る。
【００７３】
次に、サブ統括制御基板４６について説明する。
サブ統括制御基板４６には、制御動作を所定の手順で実行することができる統括制御用ＣＰＵ４６ａと、統括制御用ＣＰＵ４６ａの制御プログラムを格納する統括制御用ＲＯＭ４６ｂと、必要なデータの書き込み及び読み出しができる統括制御用ＲＡＭ４６ｃが設けられている。統括制御用ＣＰＵ４６ａには、統括制御用ＲＯＭ４６ｂと統括制御用ＲＡＭ４６ｃが接続されている。そして、統括制御用ＣＰＵ４６ａは、図柄変動時間パターン選択用乱数や演出画像選択用乱数などの各種乱数の値を所定の周期毎に更新し、更新後の値を統括制御用ＲＡＭ４６ｃの設定領域に記憶（設定）することで更新前の値を書き換えており、乱数更新処理（乱数生成処理）を実行する。また、本実施形態の統括制御用ＣＰＵ４６ａはタイマ機能を搭載しており、所定のタイミング（例えば、図柄変動ゲームを開始するタイミング）で時間を計測する。
【００７４】
図柄変動時間パターンとは、連続予告演出を構成する各変動サイクルにおいて図柄の変動開始から最初の図柄（第１変動停止列）の変動停止までの図柄変動時間（第１変動停止時間）を特定するためのパターンである。本実施形態では、第１変動停止時間として通常はずれ変動時の第１変動停止時間ＴＬ１と同じ時間に設定した「通常変動」の変動サイクルと、第１変動停止時間として短縮はずれ変動時の第１変動停止時間ＴＬ２と同じ時間に設定した「短縮変動」の変動サイクルとを有する。そして、連続予告演出は、「通常変動」の変動サイクルと「短縮変動」の変動サイクルからなる２種類の変動サイクルを組み合わせて構成され、この組み合わせによって構成される連続予告演出用の演出パターンが図柄変動時間パターンとして統括制御用ＲＯＭ４６ｂに記憶されている。本実施形態では、「通常変動」の変動サイクルが、図柄変動時間を通常図柄変動時間に設定した通常変動サイクルとなり、「短縮変動」の変動サイクルが、図柄変動時間を短縮図柄変動時間に設定した短縮変動サイクルとなる。
【００７５】
図８（ａ）〜（ｃ）は、連続予告演出の具体的な演出内容を特定するための図柄変動時間パターンを示したものである。図８（ａ）〜（ｃ）に示す各数値は、図柄変動時間パターン選択用乱数の値を示す。また、図１０は、各図柄変動時間パターンを構成する変動サイクルの組み合わせのみを示すものである。そして、本実施形態の連続予告演出では、最終回の変動サイクルでリーチが形成されてリーチ演出が行われることになるが、図１０には最終回の変動サイクルにおいてリーチが形成されてからリーチ演出にて図柄を導出し、図柄が確定停止表示するまでの流れは図示していない。
【００７６】
図８（ａ）は、変動サイクルの実行回数を「２回」とした変動パターンＰ５，Ｐ６において実行される２種類の図柄変動時間パターン（以下、「グループＡに属する図柄変動時間パターン」とも言う）を示す。グループＡに属する図柄変動時間パターンは、図中、「短縮＋通常」と示す図柄変動時間パターンＡ１と、「通常＋短縮」と示す図柄変動時間パターンＡ２の２種類からなる。
【００７７】
連続予告演出を図柄変動時間パターンＡ１で実行する場合は、図１０に示すように、１回目の変動サイクルが「短縮変動」となり、２回目（最終回）の変動サイクルが「通常変動」となる。また、連続予告演出を図柄変動時間パターンＡ２で実行する場合は、図１０に示すように、１回目の変動サイクルが「通常変動」となり、２回目（最終回）の変動サイクルが「短縮変動」となる。これらの図柄変動時間パターンＡ１，Ａ２では、何れの場合も１回目の変動サイクルにおいてはずれ図柄が導出され、２回目の変動サイクルでリーチが形成されてリーチ演出が行われる。そして、図柄変動時間パターンＡ１，Ａ２では、「通常変動」の変動サイクルと「短縮変動」の変動サイクルを組み合わせた時の合計時間、すなわち連続予告演出に係る時間が同一時間に設定されている。このため、図柄変動時間パターンＡ１，Ａ２は、１つの変動パターンに対して振分けられ、図柄変動ゲームの実行時に選択し得るようになっている。本実施形態において連続予告演出に係る時間とは、連続予告演出を伴う図柄変動ゲームの開始から、最終回の変動サイクルにおいてリーチを形成可能な図柄の変動停止までの時間（本実施形態では右列の変動停止までの時間（第２変動停止時間））を示す。
【００７８】
そして、２つの図柄変動時間パターンＡ１，Ａ２には、図柄変動時間パターンを選択する際に用いる図柄変動時間パターン選択用乱数の値が所定個数ずつ対応付けられている。具体的に言えば、本実施形態では、グループＡに属する図柄変動時間パターンＡ１，Ａ２に対し、同数（５０個）の図柄変動時間パターン選択用乱数の値を対応付けている。したがって、統括制御用ＣＰＵ４６ａは、変動パターンＰ５−１，Ｐ５−２，Ｐ５−３の何れかに基づく図柄変動ゲームが実行される場合、同一に設定された選択率（図８（ａ）の場合には２分の１）のもとで、２つの図柄変動時間パターンＡ１，Ａ２の中から何れか１つの図柄変動時間パターンを選択する。同様に、統括制御用ＣＰＵ４６ａは、変動パターンＰ６−１，Ｐ６−２，Ｐ６−３の何れかに基づく図柄変動ゲームが実行される場合、同一に設定された選択率（図８（ａ）の場合には２分の１）のもとで、２つの図柄変動時間パターンＡ１，Ａ２の中から何れか１つの図柄変動時間パターンを選択する。
【００７９】
図８（ｂ）は、変動サイクルの実行回数を「３回」とした変動パターンＰ７，Ｐ８において実行される２種類の図柄変動時間パターン（以下、「グループＢに属する図柄変動時間パターン」とも言う）を示す。グループＢに属する図柄変動時間パターンは、図中、「短縮＋短縮＋通常」と示す図柄変動時間パターンＢ１と、「短縮＋通常＋短縮」と示す図柄変動時間パターンＢ２と、「通常＋短縮＋短縮」と示す図柄変動時間パターンＢ３の３種類からなる。
【００８０】
連続予告演出を図柄変動時間パターンＢ１で実行する場合は、図１０に示すように、１回目と２回目の変動サイクルがそれぞれ「短縮変動」となり、３回目（最終回）の変動サイクルが「通常変動」となる。また、連続予告演出を図柄変動時間パターンＢ２で実行する場合は、図１０に示すように、１回目の変動サイクルが「短縮変動」となり、２回目の変動サイクルが「通常変動」となり、３回目（最終回）の変動サイクルが「短縮変動」となる。また、連続予告演出を図柄変動時間パターンＢ３で実行する場合は、図１０に示すように、１回目の変動サイクルが「通常変動」となり、２回目と３回目（最終回）の変動サイクルが「短縮変動」となる。そして、図柄変動時間パターンＢ１，Ｂ２，Ｂ３では、「通常変動」の変動サイクルと「短縮変動」の変動サイクルを組み合わせた時の合計時間、すなわち連続予告演出に係る時間が同一時間に設定されている。このため、図柄変動時間パターンＢ１，Ｂ２，Ｂ３は、１つの変動パターンに対して振分けられ、図柄変動ゲームの実行時に選択し得るようになっている。
【００８１】
そして、３つの図柄変動時間パターンＢ１，Ｂ２，Ｂ３には、図柄変動時間パターン選択用乱数の値が所定個数ずつ対応付けられている。具体的に言えば、本実施形態では、グループＢに属する図柄変動時間パターンＢ１，Ｂ２，Ｂ３に対し、略同数（３４個と３３個）の図柄変動時間パターン選択用乱数の値を対応付けている。したがって、統括制御用ＣＰＵ４６ａは、変動パターンＰ７−１，Ｐ７−２の何れかに基づく図柄変動ゲームが実行される場合、略同一に設定された選択率（図８（ｂ）の場合には略３分の１）のもとで、３つの図柄変動時間パターンＢ１，Ｂ２，Ｂ３の中から何れか１つの図柄変動時間パターンを選択する。同様に、統括制御用ＣＰＵ４６ａは、変動パターンＰ８−１，Ｐ８−２の何れかに基づく図柄変動ゲームが実行される場合、略同一に設定された選択率（図８（ｂ）の場合には略３分の１）のもとで、３つの図柄変動時間パターンＢ１，Ｂ２，Ｂ３の中から何れか１つの図柄変動時間パターンを選択する。
【００８２】
図８（ｃ）は、変動サイクルの実行回数を「４回」とした変動パターンＰ９，Ｐ１０において実行される４種類の図柄変動時間パターン（以下、「グループＣに属する図柄変動時間パターン」とも言う）を示す。グループＣに属する図柄変動時間パターンは、図中、「短縮＋短縮＋短縮＋通常」と示す図柄変動時間パターンＣ１と、「短縮＋短縮＋通常＋短縮」と示す図柄変動時間パターンＣ２と、「短縮＋通常＋短縮＋短縮」と示す図柄変動時間パターンＣ３と、「通常＋短縮＋短縮＋短縮」と示す図柄変動時間パターンＣ４の４種類からなる。
【００８３】
連続予告演出を図柄変動時間パターンＣ１で実行する場合は、図１０に示すように、１回目〜３回目の各変動サイクルが「短縮変動」となり、４回目（最終回）の変動サイクルが「通常変動」となる。また、連続予告演出を図柄変動時間パターンＣ２で実行する場合は、図１０に示すように、１回目と２回目の各変動サイクルが「短縮変動」となり、３回目の変動サイクルが「通常変動」となり、４回目（最終回）の変動サイクルが「短縮変動」となる。また、連続予告演出を図柄変動時間パターンＣ３で実行する場合は、図１０に示すように、１回目の変動サイクルが「短縮変動」となり、２回目の変動サイクルが「通常変動」となり、３回目と４回目（最終回）の変動サイクルが「短縮変動」となる。また、連続予告演出を図柄変動時間パターンＣ４で実行する場合は、図１０に示すように、１回目の変動サイクルが「通常変動」となり、２回目〜４回目（最終回）の各変動サイクルが「短縮変動」となる。そして、図柄変動時間パターンＣ１〜Ｃ４では、「通常変動」の変動サイクルと「短縮変動」の変動サイクルを組み合わせた時の合計時間、すなわち連続予告演出に係る時間が同一時間に設定されている。このため、図柄変動時間パターンＣ１〜Ｃ４は、１つの変動パターンに対して振分けられ、図柄変動ゲームの実行時に選択し得るようになっている。
【００８４】
そして、４つの図柄変動時間パターンＣ１，Ｃ２，Ｃ３，Ｃ４には、図柄変動時間パターン選択用乱数の値が所定個数ずつ対応付けられている。具体的に言えば、本実施形態では、グループＣに属する図柄変動時間パターンＣ１，Ｃ２，Ｃ３，Ｃ４に対し、同数（２５個）の図柄変動時間パターン選択用乱数の値を対応付けている。したがって、統括制御用ＣＰＵ４６ａは、変動パターンＰ９に基づく図柄変動ゲームが実行される場合、同一に設定された選択率（図８（ｃ）の場合には４分の１）のもとで、４つの図柄変動時間パターンＣ１，Ｃ２，Ｃ３，Ｃ４の中から何れか１つの図柄変動時間パターンを選択する。同様に、統括制御用ＣＰＵ４６ａは、変動パターンＰ１０の何れかに基づく図柄変動ゲームが実行される場合、同一に設定された選択率（図８（ｃ）の場合には４分の１）のもとで、４つの図柄変動時間パターンＣ１，Ｃ２，Ｃ３，Ｃ４の中から何れか１つの図柄変動時間パターンを選択する。
【００８５】
図８（ａ）〜（ｃ）に示すように、各グループＡ〜Ｃには、最終回の変動サイクルの図柄変動時間（第１変動停止時間）が、「通常はずれ変動」時の第１変動停止時間ＴＬ１となるパターンと、「短縮はずれ変動」時の第１変動停止時間ＴＬ２となるパターンが属している。これは、最後の変動サイクルが、「通常変動」のみならず「短縮変動」で行われる場合も存在することを示している。また、各グループＡ〜Ｃには、「通常変動」の変動サイクルが出現するタイミングを異ならせた図柄変動時間パターンが属するとともに、「通常変動」の変動サイクルが最終回の変動サイクルで出現するパターンと最終回の変動サイクルよりも前の回に出現するパターンとが混在している。具体的に言えば、例えば、グループＢでは、図柄変動時間パターンＢ１において「通常変動」は最終回の変動サイクルで出現し、図柄変動時間パターンＢ２において「通常変動」は２回目の変動サイクルで出現し、図柄変動時間パターンＢ３において「通常変動」は１回目の変動サイクルで出現する。これは、「通常変動」の変動サイクルが出現しても、その変動サイクル以降の変動サイクルにおいて「短縮変動」の変動サイクルの出現によって連続予告演出が継続する場合が存在することを示している。
【００８６】
このような図柄変動時間パターンの構成及び振分けにより、図柄変動ゲームの開始によって連続予告演出が実行された場合であっても、出現する変動サイクルの変動態様（「通常変動」か、又は「短縮変動」か）からはどの変動サイクルが最終回の変動サイクルであるかを認識し難くなる。その結果、「通常変動」の変動サイクルが出現しても、必ずしもリーチ演出が実行されることにはならず、連続予告演出が継続することへ期待させることが可能となる。
【００８７】
また、本実施形態のパチンコ遊技機１０では、連続予告演出が実行される場合、連続予告演出を構成する各変動サイクルにおいて演出表示装置２８に予め定めた演出画像を表示させるようになっている。図９は、本実施形態において用意された４種類の演出画像パターンＧ１〜Ｇ４を振分けた演出画像振分けテーブルを示す。図９に示す各数値は、演出画像選択用乱数の値を示す。
【００８８】
演出画像パターンＧ１は、予め定めた演出用キャラクタＫＹ１が各変動サイクル中に出現し、所定の動作を実行するパターンとされている。演出画像パターンＧ２は、予め定めた演出用キャラクタＫＹ２が各変動サイクル中に出現し、所定の動作を実行するパターンとされている。演出画像パターンＧ３は、演出用キャラクタＫＹ１と演出用キャラクタＫＹ２が各変動サイクル中に同時に出現し、それぞれが所定の動作を実行するパターンとされている。演出画像パターンＧ４は、予め定めた演出用キャラクタＫＹ３が各変動サイクル中に出現し、所定の動作を実行するパターンとされている。各演出画像パターンＧ１〜Ｇ４において出現する各演出用キャラクタＫＹ１，ＫＹ２，ＫＹ３は、変動サイクル毎に異なる動作を実行するようになっている。例えば、連続予告回数を構成する変動サイクルの実行回数が「３回」の場合における演出画像パターンＧ１では、１回目の変動サイクルで演出用キャラクタＫＹ１が「歩き」、２回目の変動サイクルで演出用キャラクタＫＹ１が「走り」、３回目の変動サイクルで演出用キャラクタＫＹ１が「飛ぶ」などの動作を実行する。
【００８９】
そして、これらの各演出画像パターンＧ１〜Ｇ４は、演出画像振分けテーブルにおいて、図柄変動時間パターンの属するグループＡ〜Ｃ毎に、変動パターンと演出画像選択用乱数の値と対応付けられている。
【００９０】
具体的に言えば、グループＡに属する図柄変動時間パターンＡ１，Ａ２を選択するはずれリーチ演出用の変動パターンＰ５と大当り演出用の変動パターンＰ６には、演出画像パターンＧ１，Ｇ２を対応付けているとともに、演出画像選択用乱数の値をそれぞれに振分けている。本実施形態では、はずれリーチ演出の場合と大当り演出の場合とで各演出画像パターンＧ１，Ｇ２が同じ選択率で選択されるように演出画像選択用乱数の値を対応付けている。
【００９１】
グループＢに属する図柄変動時間パターンＢ１〜Ｂ３を選択するはずれリーチ演出用の変動パターンＰ７と大当り演出用の変動パターンＰ８には、演出画像パターンＧ１〜Ｇ３を対応付けているとともに、演出画像選択用乱数の値をそれぞれに振分けている。本実施形態では、はずれリーチ演出の場合と大当り演出の場合とで各演出画像パターンＧ１〜Ｇ３が同じ選択率で選択されるように演出画像選択用乱数の値を対応付けている。
【００９２】
グループＣに属する図柄変動時間パターンＣ１〜Ｃ４を選択するはずれリーチ演出用の変動パターンＰ９と大当り演出用の変動パターンＰ１０には、演出画像パターンＧ１〜Ｇ３を対応付けているとともに、大当り演出用の変動パターンＰ１０のみに演出画像パターンＧ４を対応付けている。そして、各演出画像パターンＧ１〜Ｇ４には、演出画像選択用乱数の値を振分けている。本実施形態において演出画像パターンＧ４は、大当り演出用の変動パターンＰ１０のみに対応付けていることから、連続予告演出の各変動サイクルにおいて演出画像パターンＧ４に基づく演出画像（演出用キャラクタＫＹ３）が出現した時点で大当りを認識し得る大当り確定のパターンとされている。
【００９３】
次に、演出表示制御基板４７について説明する。
演出表示制御基板４７には、制御動作を所定の手順で実行することができる表示制御用ＣＰＵ４７ａと、表示制御用ＣＰＵ４７ａの制御プログラムを格納する表示制御用ＲＯＭ４７ｂと、必要なデータの書き込み及び読み出しができる表示制御用ＲＡＭ４７ｃが設けられている。表示制御用ＣＰＵ４７ａには、演出表示装置２８（画像表示部ＧＨ）が接続されている。また、本実施形態の表示制御用ＣＰＵ４７ａはタイマ機能を搭載しており、所定のタイミング（例えば、図柄変動ゲームを開始するタイミング）で時間を計測する。表示制御用ＲＯＭ４７ｂには、各種の画像データ（図柄、背景、文字、キャラクタなどの画像データ）が記憶されている。なお、表示制御用ＲＯＭ４７ｂには、表示制御用ＣＰＵ４７ａによって実行が指示される各種演出に応じて実行させる内容を特定したりするテーブルなどが記憶されている。
【００９４】
次に、音声・ランプ制御基板４８について説明する。
音声・ランプ制御基板４８には、制御動作を所定の手順で実行することができる音声・ランプ制御用ＣＰＵ４８ａと、音声・ランプ制御用ＣＰＵ４８ａの制御プログラムを格納する音声・ランプ制御用ＲＯＭ４８ｂと、必要なデータの書き込み及び読み出しができる音声・ランプ制御用ＲＡＭ４８ｃが設けられている。音声・ランプ制御用ＣＰＵ４８ａには、各種ランプ部１７〜１９，２７ｂが接続されているとともに、スピーカ２０，２１，２５が接続されている。また、本実施形態の音声・ランプ制御用ＣＰＵ４８ａはタイマ機能を搭載しており、所定のタイミング（例えば、図柄変動ゲームを開始するタイミング）で時間を計測する。音声・ランプ制御用ＲＯＭ４８ｂには、演出データとなる各種の発光態様データ（各種ランプ部１７〜１９，２７ｂが発光するタイミングなど）が記憶されている。また、音声・ランプ制御用ＲＯＭ４８ｂには、演出データとなる各種の音声データ（スピーカ２０，２１，２５から出力する音声の種類など）が記憶されている。なお、音声・ランプ制御用ＲＯＭ４８ｂには、音声・ランプ制御用ＣＰＵ４８ａによって実行が指示される各種演出に応じて実行させる内容を特定したりするテーブルなどが記憶されている。
【００９５】
以下、主制御基板４５、サブ統括制御基板４６、演出表示制御基板４７及び音声・ランプ制御基板４８が実行する制御内容を説明する。
最初に、主制御基板４５について説明する。
【００９６】
主制御基板４５の主制御用ＣＰＵ４５ａは、上始動入賞口３５又は下始動入賞口３６へ遊技球が入球し、該遊技球を検知した始動口スイッチＳＷ１，ＳＷ２が出力する検知信号を入力すると、主制御用ＲＡＭ４５ｃに記憶されている特別図柄用の保留記憶数が上限数（本実施形態では４）未満であるか否かの保留判定を行う。保留判定の判定結果が肯定（特別図柄用の保留記憶数＜４）の場合、主制御用ＣＰＵ４５ａは、特別図柄用の保留記憶数を１加算（＋１）し、特別図柄用の保留記憶数を書き換える。また、主制御用ＣＰＵ４５ａは、特別図柄用の保留記憶数の書き換えに伴って該書き換え後の前記保留記憶数に対応する数の特別図柄保留発光部を点灯させる。例えば、主制御用ＣＰＵ４５ａは、書き換え後の特別図柄用の保留記憶数が「３」の場合、３つの特別図柄保留発光部３１ａ〜３１ｃを点灯させる。また、主制御用ＣＰＵ４５ａは、保留判定を肯定判定している場合、大当り判定用乱数の値を主制御用ＲＡＭ４５ｃから取得し、その取得した大当り判定用乱数の値を特別図柄用の保留記憶数に対応付けて主制御用ＲＡＭ４５ｃの所定の記憶領域に格納する。なお、主制御用ＣＰＵ４５ａは、保留判定の判定結果が否定（保留記憶数＝４）の場合、上限数を超える特別図柄用の保留記憶数の書き換えを行わないとともに、大当り判定用乱数の値も取得しない。
【００９７】
そして、主制御用ＣＰＵ４５ａは、図柄変動ゲームの開始直前に、主制御用ＲＡＭ４５ｃの所定の記憶領域に格納した大当り判定用乱数の値を読み出し、その読み出した大当り判定用乱数の値と主制御用ＲＯＭ４５ｂに記憶されている大当り判定値とを比較し、大当りか否かの大当り判定を行う。大当り判定の判定結果が肯定（大当り判定用乱数の値と大当り判定値とが一致）の場合、主制御用ＣＰＵ４５ａは、大当りを決定する。大当りを決定した主制御用ＣＰＵ４５ａは、特別図柄表示装置３０で行われる図柄変動ゲームで確定停止表示させる特別図柄として大当り図柄を決定する。また、大当りを決定した主制御用ＣＰＵ４５ａは、変動パターン振分用乱数の値を主制御用ＲＡＭ４５ｃから取得し、該値に対応する変動パターンを大当り演出用の変動パターンの中から選択して決定する。
【００９８】
一方、主制御用ＣＰＵ４５ａは、大当り判定の判定結果が否定（大当り判定用乱数の値と大当り判定値とが不一致）の場合、はずれを決定する。そして、はずれを決定した主制御用ＣＰＵ４５ａは、はずれリーチ演出を実行するか否かを乱数抽選で決定する。はずれリーチ演出の実行を決定した場合、主制御用ＣＰＵ４５ａは、特別図柄表示装置３０に確定停止表示させる特別図柄としてはずれ図柄を決定するとともに、変動パターン振分用乱数の値を主制御用ＲＡＭ４５ｃから取得し、該値に対応する変動パターンをはずれリーチ演出用の変動パターンの中から選択して決定する。一方、はずれリーチ演出の非実行を決定した場合、主制御用ＣＰＵ４５ａは、前述同様にはずれ図柄を決定するとともに、変動パターン振分用乱数の値を主制御用ＲＡＭ４５ｃから取得し、該値に対応する変動パターンをはずれ演出用の変動パターンの中から選択して決定する。
【００９９】
本実施形態では、図５に示すように、変動パターンに対して連続予告演出の実行可否と、実行する場合には連続予告演出を構成する変動サイクルの実行回数を対応付けている。具体的に言えば、変動パターンＰ１〜Ｐ４は連続予告演出の実行否を対応付けた変動パターンとされ、変動パターンＰ５〜Ｐ１０は連続予告演出の実行可を対応付けた変動パターンとされている。また、変動パターンＰ５〜Ｐ１０のうち、変動パターンＰ５，Ｐ６は変動サイクルの実行回数として「２回」を定めた変動パターンとされ、変動パターンＰ７，Ｐ８は変動サイクルの実行回数として「３回」を定めた変動パターンとされ、変動パターンＰ９，Ｐ１０は変動サイクルの実行回数として「４回」を定めた変動パターンとされている。
【０１００】
したがって、本実施形態では、制御プログラムをもとに変動パターンを決定する主制御用ＣＰＵ４５ａが、連続予告演出を実行するか否かの決定と、実行する場合には変動サイクルの実行回数を決定することになる。そして、本実施形態では、制御プログラムにしたがって制御を実行する主制御用ＣＰＵ４５ａが、乱数取得手段、大当り抽選手段、及び変動パターン選択手段として機能する。また、本実施形態では、主制御用ＲＯＭ４５ｂが変動パターン記憶手段として機能し、主制御用ＲＡＭ４５ｃが始動保留球記憶手段として機能する。
【０１０１】
特別図柄及び変動パターンを決定した主制御用ＣＰＵ４５ａは、所定の制御コマンドを所定のタイミングでサブ統括制御基板４６（統括制御用ＣＰＵ４６ａ）に出力する。具体的に言えば、主制御用ＣＰＵ４５ａは、変動パターンを指示するとともに図柄変動ゲームの開始を指示する変動パターン指定コマンドを最初に出力する。次に、主制御用ＣＰＵ４５ａは、特別図柄を指示する特別図柄用の停止図柄指定コマンドを出力する。そして、主制御用ＣＰＵ４５ａは、指示した変動パターンに定められている変動時間の経過時に、図柄変動ゲームの終了（図柄の確定停止）を指示する図柄停止コマンドを出力する。
【０１０２】
また、主制御用ＣＰＵ４５ａは、図柄変動ゲームの開始時に特別図柄用の保留記憶数を１減算（−１）し、特別図柄用の保留記憶数を書き換える。そして、主制御用ＣＰＵ４５ａは、特別図柄用の保留記憶数の書き換えに伴って該書き換え後の前記保留記憶数に対応する数の特別図柄保留発光部を点灯させる。また、主制御用ＣＰＵ４５ａは、図柄変動ゲームの開始に伴って特別図柄表示装置３０の表示内容を制御する。すなわち、主制御用ＣＰＵ４５ａは、図柄変動ゲームの開始により特別図柄の変動を開始させ、決定した変動パターンに定められている変動時間の経過時に決定した特別図柄（大当り図柄又ははずれ図柄）を確定停止表示させる。
【０１０３】
また、主制御用ＣＰＵ４５ａは、特別図柄用の保留記憶数を書き換えた場合、書き換え後の保留記憶数を指示する保留指定コマンドをサブ統括制御基板４６に出力する。本実施形態では、保留指定コマンドとして、保留０指定コマンドと、保留１指定コマンドと、保留２指定コマンドと、保留３指定コマンドと、保留４指定コマンドが用意されている。保留０指定コマンドは、保留記憶数を「１」→「０」に１減算して書き換え時に出力するコマンドである。保留１指定コマンドは、保留記憶数を「０」→「１」に１加算、又は「２」→「１」に１減算して書き換えた時に出力するコマンドである。保留２指定コマンドは、保留記憶数を「１」→「２」に１加算、又は「３」→「２」に１減算して書き換えた時に出力するコマンドである。保留３指定コマンドは、保留記憶数を「２」→「３」に１加算、又は「４」→「３」に１減算して書き換えた時に出力するコマンドである。保留４指定コマンドは、保留記憶数を「３」→「４」に１加算して書き換え時に出力するコマンドである。
【０１０４】
次に、サブ統括制御基板４６について説明する。
サブ統括制御基板４６の統括制御用ＣＰＵ４６ａは、変動パターン指定コマンドを入力すると、該コマンドを演出表示制御基板４７、及び音声・ランプ制御基板４８に出力する。また、統括制御用ＣＰＵ４６ａは、特別図柄用の停止図柄指定コマンドを入力すると、該コマンドに対応する特別図柄の停止図柄指定に応じて演出表示装置２８に停止表示させる図柄組み合わせを構成する飾り図柄を決定する。また、統括制御用ＣＰＵ４６ａは、図柄停止コマンドを入力すると、該コマンドを演出表示制御基板４７、及び音声・ランプ制御基板４８に出力する。また、統括制御用ＣＰＵ４６ａは、保留指定コマンドを入力すると、該コマンドを演出表示制御基板４７に出力する。
【０１０５】
統括制御用ＣＰＵ４６ａは、変動パターン指定コマンドと停止図柄指定コマンドを入力すると、演出表示装置２８で実行させる図柄変動ゲームの具体的な演出内容の詳細を決定する。
【０１０６】
具体的に言えば、統括制御用ＣＰＵ４６ａは、変動パターン指定コマンドで指定された変動パターンが連続予告演出を実行可とする変動パターンＰ５〜Ｐ１０の場合、図柄変動時間パターン選択用乱数の値を統括制御用ＲＡＭ４６ｃから取得する。そして、統括制御用ＣＰＵ４６ａは、その取得した図柄変動時間パターン選択用乱数の値に対応する図柄変動時間パターンを、指定されている変動パターンに対応付けられている図柄変動時間パターンの中から選択する。例えば、統括制御用ＣＰＵ４６ａは、変動パターンＰ７−１が指定されている場合、図８（ｂ）に示すように、グループＢに属する３種類の図柄変動時間パターンＢ１〜Ｂ３の中から、取得した図柄変動時間パターン選択用乱数の値に対応する１つの図柄変動時間パターンを選択する。そして、統括制御用ＣＰＵ４６ａは、選択した図柄変動時間パターンを指定する図柄変動時間パターン指定コマンドを演出表示制御基板４７及び音声・ランプ制御基板４８に出力する。
【０１０７】
また、統括制御用ＣＰＵ４６ａは、変動パターン指定コマンドで指定された変動パターンが連続予告演出を実行可とする変動パターンＰ５〜Ｐ１０の場合、演出画像選択用乱数の値を統括制御用ＲＡＭ４６ｃから取得する。そして、統括制御用ＣＰＵ４６ａは、その取得した演出画像選択用乱数の値に対応する演出画像パターンを、指定されている変動パターンに対応付けられている演出画像パターンの中から選択する。例えば、統括制御用ＣＰＵ４６ａは、変動パターンＰ７−１が指定されている場合、図９に示すように、グループＢに属する３種類の演出画像パターンＧ１〜Ｇ３の中から、取得した演出画像選択用乱数の値に対応する１つの演出画像パターンを選択する。そして、統括制御用ＣＰＵ４６ａは、選択した演出画像パターンを指定する演出画像パターン指定コマンドを演出表示制御基板４７及び音声・ランプ制御基板４８に出力する。
【０１０８】
また、統括制御用ＣＰＵ４６ａは、変動パターン指定コマンドで指定された変動パターンの種類と停止図柄指定コマンドで指定された停止図柄（特別図柄）の種類から、演出表示装置２８で実行される図柄変動ゲームにおいて導出する飾り図柄の図柄組み合わせを構成する各列の図柄を決定する。具体的に言えば、統括制御用ＣＰＵ４６ａは、大当り演出用の変動パターンが指定され、かつ特別図柄の停止図柄指定が大当り図柄の場合には、最終的に確定停止表示させる前記図柄組み合わせを構成する飾り図柄として大当り図柄を決定する。また、統括制御用ＣＰＵ４６ａは、はずれ演出用の変動パターンが指定され、特別図柄の停止図柄指定がはずれ図柄の場合には、最終的に確定停止表示させる前記図柄組み合わせを構成する飾り図柄としてはずれ図柄を決定する。このとき、統括制御用ＣＰＵ４６ａは、飾り図柄のはずれ図柄として左右列の図柄が同一図柄となるリーチ図柄を含めずに決定する。一方、統括制御用ＣＰＵ４６ａは、はずれリーチ演出用の変動パターンが指定され、特別図柄の停止図柄指定がはずれ図柄の場合には、最終的に確定停止表示させる前記図柄組み合わせを構成する飾り図柄としてはずれ図柄を決定する。このとき、統括制御用ＣＰＵ４６ａは、飾り図柄のはずれ図柄として左右列の図柄が同一図柄となるリーチ図柄を含めて決定する。そして、飾り図柄を決定した統括制御用ＣＰＵ４６ａは、飾り図柄を指示する飾り図柄用の停止図柄指定コマンドを演出表示制御基板４７に出力する。
【０１０９】
本実施形態において、統括制御用ＣＰＵ４６ａが決定する飾り図柄は、変動パターンとして連続予告演出を含む変動パターンＰ５〜Ｐ１０が指定されている場合、最終回の変動サイクルにおいて導出される飾り図柄となる。そして、本実施形態においては、最終回の変動サイクルよりも前に実行される変動サイクルで導出されるはずれ図柄は、演出表示制御基板４７（表示制御用ＣＰＵ４７ａ）で決定するようになっている。
【０１１０】
次に、演出表示制御基板４７について説明する。
演出表示制御基板４７の表示制御用ＣＰＵ４７ａは、変動パターン指定コマンドを入力すると、該コマンドに指示される変動パターンに対応する演出内容を選択し、該演出内容で図柄変動ゲームを行わせるように画像表示部ＧＨの表示内容を制御する。このとき、表示制御用ＣＰＵ４７ａは、選択した演出内容をもとに表示制御用ＲＯＭ４７ｂの画像データを用いて前記演出内容に沿った画像を表示するための表示用データを生成する。
【０１１１】
そして、表示制御用ＣＰＵ４７ａは、図柄変動ゲームの開始に伴って該ゲームの開始からの経過時間を計時し、その計時した時間と表示用データをもとに画像表示部ＧＨに映し出す画像を所定の制御周期毎に切り替える。そして、表示制御用ＣＰＵ４７ａは、図柄変動ゲーム中に図柄停止コマンドを入力すると、飾り図柄用の停止図柄指定コマンドで指示された図柄を画像表示部ＧＨに確定停止表示させるように画像表示部ＧＨの表示内容を制御し、図柄変動ゲームを終了させる。また、表示制御用ＣＰＵ４７ａは、保留指定コマンドを入力すると、画像表示部ＧＨに画像表示する保留の表示を保留指定コマンドで指定された保留記憶数を示すように表示する。本実施形態では、画像表示部ＧＨ及び特別図柄保留記憶表示装置３１が、始動保留球数表示手段となる。
【０１１２】
また、表示制御用ＣＰＵ４７ａは、変動パターン指定コマンドで指定された変動パターンが連続予告演出を実行可とする変動パターンＰ５〜Ｐ１０の場合、変動パターンで指示される実行回数分の変動サイクルからなる連続予告演出を画像表示部ＧＨに表示する。このとき、表示制御用ＣＰＵ４７ａは、図柄変動時間パターン指定コマンドで指示された図柄変動時間パターンにしたがって各変動サイクルの変動態様を制御するとともに、演出画像パターン指定コマンドで指示された演出画像パターンにしたがって各変動サイクルの演出画像を制御する。さらに、表示制御用ＣＰＵ４７ａは、各変動サイクル中に演出用可動体Ｋを動作（本実施形態では刃部Ｋ１を鞘部Ｋ２から抜き差しする動作）させるように演出用可動体Ｋのアクチュエータを制御する。本実施形態では、表示制御用ＣＰＵ４７ａが、予告演出を図柄変動ゲーム中に演出表示装置２８（画像表示部ＧＨ）に表示する予告演出表示手段として機能する。
【０１１３】
例えば、表示制御用ＣＰＵ４７ａは、変動パターンＰ８−１を指示する変動パターン指定コマンドと、図柄変動時間パターンＢ２を指示する図柄変動時間パターン指定コマンドと、演出画像パターンＧ１を指示する演出画像パターン指定コマンドを入力すると、次のように画像表示部ＧＨの表示内容を制御する。すなわち、表示制御用ＣＰＵ４７ａは、変動パターンＰ８−１から連続予告演出の実行可と変動サイクルの実行回数を把握するとともに、図柄変動時間パターンＢ２から各変動サイクルの変動態様（「通常変動」か、「短縮変動」か）を把握する。また、表示制御用ＣＰＵ４７ａは、演出画像パターンＧ１から連続予告演出を構成する３回の変動サイクルにおいて表示させる演出画像を把握する。そして、表示制御用ＣＰＵ４７ａは、１回目の変動サイクルにおいて「短縮変動」の変動態様を、表示用データと計時している時間をもとに画像表示し、図柄の変動開始からの経過時間が第１変動停止時間ＴＬ２に達すると第１変動停止列（左列）の変動を停止させて図柄を導出する。また、表示制御用ＣＰＵ４７ａは、１回目の変動サイクルにおいて演出画像パターンＧ１から把握した演出画像（演出用キャラクタＫＹ１が「歩く」）を画像表示する。次に、表示制御用ＣＰＵ４７ａは、第２変動停止時間ＴＲ２の経過時に第２変動停止列（右列）の変動を停止させて図柄を導出するとともに、第３変動停止時間ＴＣ２の経過時に第３変動停止列（中列）の変動を停止させて図柄を導出し、１回目の変動サイクルを終了させる。１回目の変動サイクルの終了時、表示制御用ＣＰＵ４７ａは、自身で決定したはずれ図柄を導出し、そのはずれ図柄を一旦停止表示させる。
【０１１４】
続いて、表示制御用ＣＰＵ４７ａは、２回目の変動サイクルにおいて「通常変動」の変動態様を、表示用データと計時している時間をもとに画像表示し、図柄の変動開始からの経過時間が第１変動停止時間ＴＬ１に達すると第１変動停止列（左列）の変動を停止させて図柄を導出する。また、表示制御用ＣＰＵ４７ａは、２回目の変動サイクルにおいて演出画像パターンＧ１から把握した演出画像（演出用キャラクタＫＹ１が「走る」）を画像表示する。次に、表示制御用ＣＰＵ４７ａは、第２変動停止時間ＴＲ１の経過時に第２変動停止列（右列）の変動を停止させて図柄を導出するとともに、第３変動停止時間ＴＣ１の経過時に第３変動停止列（中列）の変動を停止させて図柄を導出し、２回目の変動サイクルを終了させる。２回目の変動サイクルの終了時、表示制御用ＣＰＵ４７ａは、自身で決定したはずれ図柄を導出し、そのはずれ図柄を一旦停止表示させる。
【０１１５】
続いて、表示制御用ＣＰＵ４７ａは、３回目の変動サイクルにおいて「短縮変動」の変動態様を、表示用データと計時している時間をもとに画像表示し、図柄の変動開始からの経過時間が第１変動停止時間ＴＬ２に達すると第１変動停止列（左列）の変動を停止させて図柄を導出する。また、表示制御用ＣＰＵ４７ａは、３回目の変動サイクルにおいて演出画像パターンＧ１から把握した演出画像（演出用キャラクタＫＹ１が「飛び」）を画像表示する。次に、表示制御用ＣＰＵ４７ａは、第２変動停止時間ＴＲ２の経過時に第２変動停止列（右列）の変動を停止させて図柄を導出する。このとき、表示制御用ＣＰＵ４７ａは、第１変動停止列と第２変動停止列に飾り図柄用の停止図柄指定コマンドで指示された図柄をもとに同一図柄を導出し、リーチを形成する。そして、表示制御用ＣＰＵ４７ａは、リーチ演出（スーパー１リーチ）を表示データと計時している時間にしたがって画像表示し、所定時間の経過後に第３変動停止列の変動を停止させることにより第１変動停止列と第２変動停止列に導出した図柄と同一図柄を導出する。これにより、演出表示装置２８には、大当り図柄が導出され、当該大当り図柄が一旦停止表示される。その後、表示制御用ＣＰＵ４７ａは、図柄停止コマンドの入力により、演出表示装置２８に一旦停止表示されている大当り図柄を確定停止表示させて図柄変動ゲームを終了させる。
【０１１６】
なお、はずれリーチ演出となる変動パターンの場合、表示制御用ＣＰＵ４７ａは、最終回の変動サイクルにおいてリーチを形成し、リーチ演出を経てはずれ図柄を導出し、図柄停止コマンドの入力によりはずれ図柄を確定停止表示させる。
【０１１７】
本実施形態のパチンコ遊技機１０では、図８及び図１０に示す図柄変動時間パターンにしたがって連続予告演出を構成する各変動サイクルの変動態様を制御することで、「通常変動」の変動サイクルと「短縮変動」の変動サイクルがランダムに出現するようになる。そして、本実施形態の連続予告演出において最終回の変動サイクルよりも前に行われる少なくとも１回の変動サイクルは、「通常はずれ変動（変動パターンＰ１）」及び「短縮はずれ変動（変動パターンＰ２）」と同一変動態様にてはずれ図柄を導出するようになっている。すなわち、最終回の変動サイクルよりも前に行われる少なくとも１回の変動サイクルは、「通常はずれ変動」及び「短縮はずれ変動」を擬似的に実行する擬似はずれ変動として行われる。そして、最終回の変動サイクルでは、「通常はずれ変動」又は「短縮はずれ変動」における第１変動停止時間ＴＬ１，ＴＬ２と同一時間で第１変動停止列の変動が停止して図柄が導出される。
【０１１８】
次に、音声・ランプ制御基板４８について説明する。
音声・ランプ制御基板４８の音声・ランプ制御用ＣＰＵ４８ａは、変動パターン指定コマンドを入力すると、当該コマンドに指示される変動パターンに対応する演出内容（発光態様、及び音声出力態様）を選択し、該演出内容で発光演出、及び音声演出を実行させるように各種ランプ部１７〜１９，２７ｂの発光態様、及びスピーカ２０，２１、２５の音声出力態様を制御する。そして、音声・ランプ制御用ＣＰＵ４８ａは、図柄変動ゲーム中に図柄停止コマンドを入力すると、対応する演出内容で発光演出、及び音声演出を実行させるように各種ランプ部１７〜１９，２７ｂの発光態様、及びスピーカ２０，２１，２５の音声出力態様を制御する。このとき、音声・ランプ制御用ＣＰＵ４８ａは、選択した演出内容をもとに音声・ランプ制御用ＲＯＭ４８ｂの発光態様データ及び音声データを用いて前記演出内容に沿った発光態様とする発光態様用データ及び音声を出力するための音声出力用データを生成する。なお、音声・ランプ制御用ＣＰＵ４８ａは、図柄変動ゲームの開始からの経過時間に基づいて、発光演出及び音声演出を実行させることで、表示制御用ＣＰＵ４７ａが実行する表示演出に同期させることができるようになっている。
【０１１９】
また、音声・ランプ制御用ＣＰＵ４８ａは、変動パターン指定コマンドで指定された変動パターンが連続予告演出を実行可とする変動パターンＰ５〜Ｐ１０の場合、実行し得る変動サイクルで変動している図柄の変動停止（３列の図柄の変動停止（一旦停止））に合わせて、停止音を出力させる停止音演出（停止音出力演出）を実行を指示するようになっている。そして、音声・ランプ制御用ＣＰＵ４８ａは、連続予告演出を伴う図柄変動ゲームにおいて、連続予告演出を伴わない図柄変動ゲームとは異なる停止音の出力を指示するようになっている。停止音演出は、対応する音声の出力によって連続予告演出伴う図柄変動ゲームの実行中であることを遊技者に報知する。なお、本実施形態において連続予告演出を伴わない図柄変動ゲームでは、変動している図柄の変動停止に合わせて音声を出力しない一方で、連続予告演出を伴う図柄変動ゲームの実行中にのみ図柄の変動停止に合わせて停止音を出力するようになっている。本実施形態では、音声・ランプ制御用ＣＰＵ４８ａが、連続予告演出を伴う図柄変動ゲームで図柄の変動停止に合わせて停止音演出を実行させる停止音演出実行制御手段として機能する。
【０１２０】
また、停止音演出により出力する音声は、図柄変動時間パターンに基づく連続予告演出における実行される変動サイクルと直前の変動サイクルとで変動サイクルの変動態様（「通常変動」か、「短縮変動」か）が切替わることを契機に該切替わるよりも前の変動サイクルと該切替わる以後の変動サイクルとで音声の種類が異なるようになっている。そして、本実施形態のパチンコ遊技機１０では、連続予告演出を伴う図柄変動ゲームで「短縮変動」の変動態様となる変動サイクルが実行された後に「通常変動」の変動態様となる変動サイクルが実行されることを契機に該変動サイクル以後で停止音演出により出力する音声の種類を異ならせるようになっている。なお、本実施形態では、連続予告演出を伴う図柄変動ゲームで初回（１回目）の変動サイクルが「通常変動」の変動態様となる変動サイクルの場合、「短縮変動」の変動態様となる変動サイクルが実行された後に「通常変動」の変動態様となる変動サイクルが実行される場合と同様の種類の音声を停止音演出で出力させる。
【０１２１】
このため、連続予告演出を伴う図柄変動ゲームでは、停止音演出で出力される音声の種類から実行中の連続予告演出を伴う図柄変動ゲームの展開を把握可能となっている。すなわち、停止音演出で出力されている音声の種類では、実行中の変動サイクルよりも前に「通常変動」の変動態様となる変動サイクルが実行されたか否かを把握可能となっている。これにより、遊技者は途中の変動サイクルにおいて「通常変動」の変動態様となる変動サイクルの出現に気付かなかったり、変動態様を見逃したりしてしまってもその後の停止音演出の種類からいずれの図柄変動時間パターンに基づく展開であるかを把握可能になっている。また、遊技者は連続予告演出を伴う図柄変動ゲームの実行に気付かない場合であっても、連続予告演出の実行中であることとその展開まで把握可能となる。また、連続予告演出を伴う図柄変動ゲームでは、変動サイクルが何回続くかによって大当り期待度が異なるので変動している図柄の変動停止（仮停止）に最も注目することとなる。このため、遊技者が連続予告演出の展開（パターン）を把握可能なように遊技者が最も注目することとなる図柄の変動停止に伴う停止音演出で出力する音声の種類を異ならせるようになっている。
【０１２２】
このように本実施形態のパチンコ遊技機１０では、「通常変動」及び「短縮変動」の変動態様となる変動サイクルの違いを図柄変動時間の長短によって規定する場合であっても、これら図柄変動時間の違いを認識できないといった遊技者に対しても停止音演出からその違いを間接的に把握させることが可能となる。その結果、「通常変動」の変動サイクルの出現によって、連続予告演出が継続することへ期待させることが可能となる。
【０１２３】
図１１に示すように、停止音演出で出力する音声には、連続予告演出を伴う図柄変動ゲームにおいて「通常変動」の変動態様となる変動サイクルの未実行である条件下で出力される停止音Ａがある。停止音Ａでは、スピーカ２０，２１，２５から「ドゴーン」という音声を出力する態様となっている。また、停止音演出で出力する音声には、連続予告演出を伴う図柄変動ゲームにおいて「通常変動」の変動態様となる変動サイクルの実行後である条件下で出力される停止音Ｂがある。停止音Ｂでは、スピーカ２０，２１，２５から「バシューン」という音声を出力する態様となっている。
【０１２４】
そして、音声・ランプ制御用ＣＰＵ４８ａは、変動パターン指定コマンドと、図柄変動時間パターン指定コマンドを入力すると、次のようにスピーカ２０，２１，２５の音声出力態様を制御し、停止音演出の実行を指示する。すなわち、音声・ランプ制御用ＣＰＵ４８ａは、変動パターン指定コマンドから連続予告演出の実行可否を把握し、連続予告演出の実行可の場合に変動サイクルの実行回数を把握するとともに、図柄変動時間パターンから各変動サイクルの変動態様（「通常変動」か、「短縮変動」か）を把握する。
【０１２５】
そして、音声・ランプ制御用ＣＰＵ４８ａは、１回目の変動サイクルにおいて図柄変動時間パターンに応じて停止音演出で出力させる音声の種類を特定可能な停止音フラグを音声・ランプ制御用ＲＡＭ４８ｃに記憶（設定）する。音声・ランプ制御用ＣＰＵ４８ａは、停止音フラグを音声・ランプ制御用ＲＡＭ４８ｃに記憶（設定）することで停止音として出力する音声を特定し、設定している停止音フラグに基づいて停止音演出で音声出力態様を制御する。また、音声・ランプ制御用ＣＰＵ４８ａは、連続予告演出を伴う図柄変動ゲームの変動サイクルにおける図柄の変動停止に合わせて設定している停止音フラグに基づいて停止音の出力をスピーカ２０，２１，２５に指示する。図１１に示すように、音声・ランプ制御用ＣＰＵ４８ａは、停止音Ａを出力する場合に停止音フラグに「００Ｈ」を、停止音Ｂを出力する場合に停止音フラグに「０１Ｈ」を音声・ランプ制御用ＲＡＭ４８ｃに記憶（設定）する。なお、音声・ランプ制御用ＣＰＵ４８ａは、連続予告演出を伴う（擬似連回数が「２回」以上である）図柄変動ゲームでのみ停止音演出を実行させるようになっており、特に、変動パターンＰ１〜Ｐ４に基づく図柄変動ゲームでは停止音演出の実行にかかる以下の処理を実行しない。また、音声・ランプ制御用ＣＰＵ４８ａは、連続予告演出を伴わない図柄変動ゲームにおいて、停止音演出の実行を指示しない代わりに、変動パターンに対応する各種リーチ演出や通常変動に関する音声演出の実行を指示することとなる。
【０１２６】
図１２は、停止音演出の具体的な演出内容を特定するための停止音フラグの設定態様を示したものである。また、図１２は、図１０に示す各図柄変動時間パターンを構成する変動サイクルの組み合わせに応じた停止音フラグの設定態様を示すものである。
【０１２７】
音声・ランプ制御用ＣＰＵ４８ａは、グループＡに属する図柄変動時間パターンＡ１，Ａ２に応じて停止音演出の実行を指示する場合に、１回目の変動サイクルで対応する停止音の出力（停止音演出）を指示し、２回目の変動サイクルで停止音の出力（停止音演出）を指示しない。このため、音声・ランプ制御用ＣＰＵ４８ａは、グループＡに属する図柄変動時間パターンＡ１，Ａ２に応じて停止音演出の実行を指示する場合に、１回目の変動サイクルで対応する停止音フラグを音声・ランプ制御用ＲＡＭ４８ｃに記憶（設定）している。この場合、音声・ランプ制御用ＣＰＵ４８ａは、２回目の変動サイクルで停止音の出力を指示しないので、停止音フラグの設定内容をそのまま保持してもよいし、消去（クリア）してもよい。また、音声・ランプ制御用ＣＰＵ４８ａは、２回目の変動サイクルで停止音演出の実行を指示しない代わりに、変動パターンに対応する各種リーチ演出に関する音声演出の実行を指示することとなる。
【０１２８】
そして、音声・ランプ制御用ＣＰＵ４８ａは、図１２に示すように、図柄変動時間パターンＡ１に応じて停止音演出の実行を指示する場合に、１回目の変動サイクルで停止音Ａに対応する停止音フラグ（００Ｈ）を音声・ランプ制御用ＲＡＭ４８ｃに記憶（設定）する。また、音声・ランプ制御用ＣＰＵ４８ａは、図１２に示すように、図柄変動時間パターンＡ２に応じて停止音演出の実行を指示する場合に、１回目の変動サイクルで停止音Ｂに対応する停止音フラグ（０１Ｈ）を音声・ランプ制御用ＲＡＭ４８ｃに記憶（設定）する。
【０１２９】
その結果、スピーカ２０，２１，２５では、図柄変動時間パターンＡ１に基づく図柄変動ゲームにおいて１回目の変動サイクルで停止音Ａによる停止音演出が実行される。これにより遊技者は、連続予告演出を伴う図柄変動ゲームが実行されているとともに、「短縮変動」の変動態様となる変動サイクルが実行されたことを把握する。また、スピーカ２０，２１，２５では、図柄変動時間パターンＡ２に基づく図柄変動ゲームにおいて１回目の変動サイクルで停止音Ｂによる停止音演出が実行される。これにより遊技者は、連続予告演出を伴う図柄変動ゲームが実行されているとともに、「通常変動」の変動態様となる変動サイクルが実行されたこと（実行されていた）ことを把握する。
【０１３０】
また、音声・ランプ制御用ＣＰＵ４８ａは、グループＢに属する図柄変動時間パターンＢ１〜Ｂ３に応じて停止音演出の実行を指示する場合に、１回目と２回目の変動サイクルで対応する停止音の出力（停止音演出）を指示し、３回目の変動サイクルで停止音の出力（停止音演出）を指示しない。このため、音声・ランプ制御用ＣＰＵ４８ａは、グループＢに属する図柄変動時間パターンＢ１〜Ｂ３に応じて停止音演出の実行を指示する場合に、１回目と２回目の変動サイクルで対応する停止音フラグを音声・ランプ制御用ＲＡＭ４８ｃに記憶（設定）している。この場合、音声・ランプ制御用ＣＰＵ４８ａは、３回目の変動サイクルで停止音の出力を指示しないので、停止音フラグの設定内容をそのまま保持してもよいし、消去（クリア）してもよい。また、音声・ランプ制御用ＣＰＵ４８ａは、３回目の変動サイクルで停止音演出の実行を指示しない代わりに、変動パターンに対応する各種リーチ演出に関する音声演出の実行を指示することとなる。
【０１３１】
そして、音声・ランプ制御用ＣＰＵ４８ａは、図１２に示すように、図柄変動時間パターンＢ１に応じて停止音演出の実行を指示する場合に、１回目と２回目の変動サイクルで停止音Ａに対応する停止音フラグ（００Ｈ）を音声・ランプ制御用ＲＡＭ４８ｃに記憶（設定）する。また、音声・ランプ制御用ＣＰＵ４８ａは、図１２に示すように、図柄変動時間パターンＢ２に応じて停止音演出の実行を指示する場合に、１回目の変動サイクルで停止音Ａに対応する停止音フラグ（００Ｈ）を、２回目の変動サイクルで停止音Ｂに対応する停止音フラグ（０１Ｈ）を音声・ランプ制御用ＲＡＭ４８ｃに記憶（設定）する。また、音声・ランプ制御用ＣＰＵ４８ａは、図１２に示すように、図柄変動時間パターンＢ３に応じて停止音演出の実行を指示する場合に、１回目と２回目の変動サイクルで停止音Ｂに対応する停止音フラグ（０１Ｈ）を音声・ランプ制御用ＲＡＭ４８ｃに記憶（設定）する。
【０１３２】
その結果、スピーカ２０，２１，２５では、図柄変動時間パターンＢ１に基づく図柄変動ゲームにおいて１回目と２回目の変動サイクルで停止音Ａによる停止音演出が実行される。これにより遊技者は、連続予告演出を伴う図柄変動ゲームが実行されているとともに、１回目と２回目の変動サイクルで「短縮変動」の変動態様となる変動サイクルが実行されたことを把握する。また、スピーカ２０，２１，２５では、図柄変動時間パターンＢ２に基づく図柄変動ゲームにおいて１回目の変動サイクルで停止音Ａによる停止音演出が、２回目の変動サイクルで停止音Ｂによる停止音演出が実行される。これにより遊技者は、連続予告演出を伴う図柄変動ゲームが実行されていることを把握する。また、これにより遊技者は、１回目の変動サイクルで「短縮変動」の変動態様となる変動サイクルが実行されたことを把握するとともに、２回目の変動サイクルで「通常変動」の変動態様となる変動サイクルが実行されたこと（実行されていた）ことを把握する。また、スピーカ２０，２１，２５では、図柄変動時間パターンＢ３に基づく図柄変動ゲームにおいて１回目と２回目の変動サイクルで停止音Ｂによる停止音演出が実行される。これにより遊技者は、連続予告演出を伴う図柄変動ゲームが実行されているとともに、１回目と２回目の変動サイクルで「通常変動」の変動態様となる変動サイクルが実行されたこと（実行されていた）ことを把握する。
【０１３３】
また、音声・ランプ制御用ＣＰＵ４８ａは、グループＣに属する図柄変動時間パターンＣ１〜Ｃ４に応じて停止音演出の実行を指示する場合に、１回目と２回目と３回目の変動サイクルで対応する停止音の出力（停止音演出）を指示し、４回目の変動サイクルで停止音の出力（停止音演出）を指示しない。このため、音声・ランプ制御用ＣＰＵ４８ａは、グループＣに属する図柄変動時間パターンＣ１〜Ｃ４に応じて停止音演出の実行を指示する場合に、１回目と２回目と３回目の変動サイクルで対応する停止音フラグを音声・ランプ制御用ＲＡＭ４８ｃに記憶（設定）している。この場合、音声・ランプ制御用ＣＰＵ４８ａは、４回目の変動サイクルで停止音の出力を指示しないので、停止音フラグの設定内容をそのまま保持してもよいし、消去（クリア）してもよい。また、音声・ランプ制御用ＣＰＵ４８ａは、４回目の変動サイクルで停止音演出の実行を指示しない代わりに、変動パターンに対応する各種リーチ演出に関する音声演出の実行を指示することとなる。
【０１３４】
そして、音声・ランプ制御用ＣＰＵ４８ａは、図１２に示すように、図柄変動時間パターンＣ１に応じて停止音演出の実行を指示する場合に、１回目と２回目と３回目の変動サイクルで停止音Ａに対応する停止音フラグ（００Ｈ）を音声・ランプ制御用ＲＡＭ４８ｃに記憶（設定）する。また、音声・ランプ制御用ＣＰＵ４８ａは、図１２に示すように、図柄変動時間パターンＣ２に応じて停止音演出の実行を指示する場合に、１回目と２回目の変動サイクルで停止音Ａに対応する停止音フラグ（００Ｈ）を、３回目の変動サイクルで停止音Ｂに対応する停止音フラグ（０１Ｈ）を音声・ランプ制御用ＲＡＭ４８ｃに記憶（設定）する。また、音声・ランプ制御用ＣＰＵ４８ａは、図１２に示すように、図柄変動時間パターンＣ３に応じて停止音演出の実行を指示する場合に、１回目の変動サイクルで停止音Ａに対応する停止音フラグ（００Ｈ）を、２回目と３回目の変動サイクルで停止音Ｂに対応する停止音フラグ（０１Ｈ）を音声・ランプ制御用ＲＡＭ４８ｃに記憶（設定）する。また、音声・ランプ制御用ＣＰＵ４８ａは、図１２に示すように、図柄変動時間パターンＣ４に応じて停止音演出の実行を指示する場合に、１回目と２回目と３回目の変動サイクルで停止音Ｂに対応する停止音フラグ（０１Ｈ）を音声・ランプ制御用ＲＡＭ４８ｃに記憶（設定）する。
【０１３５】
その結果、スピーカ２０，２１，２５では、図柄変動時間パターンＣ１に基づく図柄変動ゲームにおいて１回目と２回目と３回目の変動サイクルで停止音Ａによる停止音演出が実行される。これにより遊技者は、連続予告演出を伴う図柄変動ゲームが実行されているとともに、１回目と２回目と３回目の変動サイクルで「短縮変動」の変動態様となる変動サイクルが実行されたことを把握する。また、スピーカ２０，２１，２５では、図柄変動時間パターンＣ２に基づく図柄変動ゲームにおいて１回目と２回目の変動サイクルで停止音Ａによる停止音演出が、３回目の変動サイクルで停止音Ｂによる停止音演出が実行される。これにより遊技者は、連続予告演出を伴う図柄変動ゲームが実行されていることを把握する。また、これにより遊技者は、１回目と２回目の変動サイクルで「短縮変動」の変動態様となる変動サイクルが実行されたことを把握するとともに、３回目の変動サイクルで「通常変動」の変動態様となる変動サイクルが実行されたこと（実行されていた）ことを把握する。また、スピーカ２０，２１，２５では、図柄変動時間パターンＣ３に基づく図柄変動ゲームにおいて１回目の変動サイクルで停止音Ａによる停止音演出が、２回目と３回目の変動サイクルで停止音Ｂによる停止音演出が実行される。これにより遊技者は、連続予告演出を伴う図柄変動ゲームが実行されていることを把握する。また、これにより遊技者は、１回目の変動サイクルで「短縮変動」の変動態様となる変動サイクルが実行されたことを把握するとともに、２回目と３回目の変動サイクルで「通常変動」の変動態様となる変動サイクルが実行されたこと（実行されていた）ことを把握する。また、スピーカ２０，２１，２５では、図柄変動時間パターンＣ４に基づく図柄変動ゲームにおいて１回目と２回目と３回目の変動サイクルで停止音Ｂによる停止音演出が実行される。これにより遊技者は、連続予告演出を伴う図柄変動ゲームが実行されているとともに、１回目と２回目と３回目の変動サイクルで「通常変動」の変動態様となる変動サイクルが実行されたこと（実行されていた）ことを把握する。
【０１３６】
このように本実施形態のパチンコ遊技機１０では、実行し得る変動サイクルにおいて、「通常変動」の変動態様となる変動サイクルの未実行である条件下で、停止音Ａによる停止音演出が実行され、「通常変動」の変動態様となる変動サイクルの実行後である条件下で、停止音Ｂによる停止音演出が実行される。また、本実施形態では、図柄変動時間パターンＢ２，Ｃ２，Ｃ３において、実行される変動サイクルと直前の変動サイクルとで変動態様が切替わることを契機に、切替わるよりも前（「短縮変動」）の変動サイクルと切替わる以後（「通常変動」）の変動サイクルと停止音演出で出力させる音声の種類を異ならせている。すなわち、本実施形態では、「短縮変動」の変動態様から「通常変動」の変動態様となる変動サイクルの実行を契機に、停止音演出で出力される音声の種類を異ならせるように停止音Ａから停止音Ｂに変化することとなる。そして、本実施形態では、図柄変動時間パターンＢ２，Ｃ２，Ｃ３において、実行される変動サイクルと直前の変動サイクルとで変動態様が切替わることを契機に、停止音出力演出で出力させる音声の種類を異ならせた以後の変動サイクルでは停止音フラグの設定内容を保持することで同じ種類の音声を出力させるようになっている。すなわち、本実施形態では、「短縮変動」の変動態様から「通常変動」の変動態様となる変動サイクルの実行を契機に、停止音出力演出で出力させる音声の種類を異ならせた以後の変動サイクルでは停止音フラグが「０１Ｈ」による停止音Ｂを出力させることとなる。なお、本実施形態では、初回（１回目）の変動サイクルから「通常変動」の変動態様となる変動サイクルとなる場合に、実行し得る変動サイクルの全ての停止音演出で停止音Ｂを出力させるようになっている。
【０１３７】
したがって、本実施形態によれば、以下に示す効果を得ることができる。
（１）連続予告演出において図柄の変動開始から最後の図柄の変動停止までの図柄変動時間の長短によって規定される通常変動サイクル及び短縮変動サイクルの組み合わせにより連続予告演出の展開のバリエーションを増加させるようにした。そして、変動サイクルにおいて図柄変動時間に変化が生じても、その変化時点において最終回の変動サイクルであるか否かを認識し難くなるため、遊技者は、連続予告演出が継続することに対して期待を抱き、興趣の向上を図ることができる。しかしながら、通常変動サイクル及び短縮変動サイクルの違いを図柄変動時間の長短によって規定する場合、遊技者の中にはこれら図柄変動時間の違いを認識できないため連続予告演出が継続することに対して期待を抱く場面を把握し難いといった遊技者も存在する。その一方で、このような遊技者であっても連続予告演出において、遊技者は図柄の変動の継続、すなわち、変動している図柄の変動停止に対して注目し、この注目する場面の違いに気づき易い。このため、遊技者は連続予告演出において図柄変動時間の変化に気付かなかったり図柄変動時間の変化を見逃したりしても、停止音演出から図柄変動時間の変化を把握可能となる。その結果、連続予告演出では、図柄の変動停止する音声の種類を異ならせることで、通常変動サイクル及び短縮変動サイクルの組み合わせによる展開の違いを遊技者に好適に把握可能となる。したがって、連続予告演出の展開のバリエーションを増加させるにあたって、展開の違いを遊技者に把握させ易くすることができる。
【０１３８】
（２）実行される変動サイクルと直前の変動サイクルとで通常変動サイクル及び短縮変動サイクルの種類が切替わることを契機に停止音演出で出力させる音声の種類を異ならせる場合、切替わる以後で同じ種類の音声を出力させるようにした。このため、連続予告演出においては、実行される変動サイクルと直前の変動サイクルとで通常変動サイクル及び短縮変動サイクルの種類が少なくとも１回切替わっていることを遊技者に把握可能になる。したがって、連続予告演出の展開のバリエーションを増加させるにあたって、展開の違いを遊技者に把握させ易くすることができる。
【０１３９】
（３）連続予告演出に係る決定事項を、主制御基板４５（主制御用ＣＰＵ４５ａ）とサブ統括制御基板４６（統括制御用ＣＰＵ４６ａ）とで分担しているため、各制御部に掛かる制御負担を軽減することができる。
【０１４０】
（４）「通常変動」の変動サイクルと「短縮変動」のサイクルを組み合わせた場合に、連続予告演出に係る時間の合計を異ならせてしまうと、変動パターンと図柄変動時間パターンを１対１の関係に対応付ける必要がある。しかし、同一の実行回数の変動サイクルで構成される連続予告演出に係る時間の合計を同一時間に設定することで、１つの変動パターンに対し、複数の図柄変動時間パターンを対応付けることが可能となる。つまり、制御負担を増加させることなく、演出の多様化を実現し得る。
【０１４１】
（５）最終回の変動サイクル（擬似的に実行される図柄変動ゲーム）において図柄の変動開始から最初の図柄の変動停止までの図柄変動時間（第１変動停止時間）が異なるパターンを用意することで、変動サイクルにおいて第１変動停止時間に変化が生じても、その変化時点において最終回の変動サイクルであるか否かを認識し難くなる。このため、遊技者は、連続予告演出が継続することに対して期待を抱き、興趣の向上を図ることができる。
【０１４２】
（６）「通常変動」の変動サイクルの第１変動停止時間を通常はずれ変動の第１変動停止時間ＴＬ１と同一時間に設定するとともに、「短縮変動」の変動サイクルの第１変動停止時間を短縮はずれ変動の第１変動停止時間ＴＬ２と同一時間に設定した。そして、通常はずれ変動（変動パターンＰ１）は、特別図柄用の保留記憶数が所定値未満の場合に選択される一方で、短縮はずれ変動（変動パターンＰ２）は、特別図柄用の保留記憶数が所定値以上の場合に選択されるようにした。このため、特別図柄保留記憶表示装置３１や画像表示部ＧＨに表示される保留記憶数と、はずれ変動の出現状態から連続予告演出が出現したか否かを遊技者に判断させることができる。したがって、連続予告演出が何時まで継続するかに興味を持たせることができ、大当りへの期待感を高めさせることができる。
【０１４３】
（７）連続予告演出を構成する変動サイクルの実行回数の最大数を、特別図柄用の保留記憶数の上限数と同値に設定した。このため、連続予告演出が、恰も複数回の図柄変動ゲームに跨って連続して実行されるかのような演出を実現できる。すなわち、演出に何らかの繋がり（関連付けた）を持った図柄変動ゲームが連続しているかのような演出を表現できる。
【０１４４】
なお、上記実施形態は以下のように変更してもよい。
・実施形態では、図柄変動時間パターンによって大当り期待度を異ならせた構成を採用することもできる。さらに、この場合においては、大当り期待度が低い図柄変動時間パターンである且つ大当り抽選で大当りに当選している条件下でのみ停止音演出で停止音Ａ，Ｂとは異なる停止音Ｃ（例えば、「ファンファーレ」の音声）を出力可能に構成してもよい。すなわち、停止音演出で停止音Ｃの出力によっては、大当り確定を報知することとなる。このため、連続予告演出を伴う図柄変動ゲームの実行中、停止音演出や変動サイクルの出現態様（図柄変動時間パターンの種類）から大当り期待度の高低が把握されてしまう場合であっても、大当り確定を報知する停止音演出の出現に対する期待を遊技者に抱かせることで遊技者の落胆を解消することができる。したがって、連続予告演出を伴う図柄変動ゲームの展開によって大当り期待度の高低を設ける場合であっても、連続予告演出を伴う図柄変動ゲームの興趣を向上させることができる。
【０１４５】
・また、大当り確定となる停止音Ｃを設定する上記別例においては、大当り期待度が低い図柄変動時間パターンである且つ大当り抽選で大当りに当選している条件下で、さらに停止音Ｃを出力させるか否かを決定する確定音抽選を実行するようにしてもよい。こうすることで、大当り期待度の低い図柄変動ゲームで停止音Ｃが出力されない場合であっても大当りに対する期待の低下を抑制することができる。したがって、大当り確定となる停止音Ｃを設定することによる興趣をさらに向上させることができる。なお、確定音演出に関しては、大当り期待度の高低にかかわらずいずれの図柄変動時間パターンであっても大当り抽選で大当りに当選さえしていれば実行可能とする構成でもよいし、大当り期待度の高い図柄変動時間パターンでのみ実行可能とする構成でもよい。
【０１４６】
・また、大当り確定となる停止音Ｃを設定する上記別列においては、大当り確定となる停止音Ｃの出力に関して初回の変動サイクルでのみ実行可能な構成とすることもできる。大当り確定となる報知は、１回の出現で十分にその旨を遊技者に認識させることが可能である一方で、何度も繰り返されることで却って煩わしさを遊技者に与えてしまう可能性もある。このため、大当り確定となる停止音Ｃが出力される回数を１回の連続予告演出で１回と定めることで、大当り確定となる報知による遊技者に与え得る効果を最大限に発揮することができる。さらに、本別例では、停止音Ｃを出力し得る変動サイクルのうちいずれの変動サイクルでも実行可能に構成することもできる。すなわち、停止音Ｃの実行は、１回の連続予告演出で１回とすることもできるし、複数回とすることもできる。また、この場合には、連続予告演出を伴う図柄変動ゲームの開始に際して確定音演出を実行する変動サイクルを予め抽選により決定するといった構成も考えられる。また、この場合には、実行し得る変動サイクル毎に確定音抽選を実行するといった構成も考えられる。そして、実行し得る変動サイクル毎に確定音抽選を実行する構成においては、確定音抽選の当選後（停止音Ｃの出力後）は確定音抽選を実行しない構成とすることもできる。
【０１４７】
・また、大当り確定となる停止音Ｃを設定する上記別列においては、大当りに当選しているか否かだけでなく大当り遊技が付与されることによって遊技者が得ることができる利益（本実施形態では確変状態が付与されるか否か）を考慮して確定音演出（停止音Ｃ）の実行の可否を決定することもできる。
【０１４８】
・実施形態では、停止音演出（停止音Ａ、停止音Ｂ）の演出態様を変更することもでき、例えば、キャラクタの声優による音声（台詞）とすることもできる。
・実施形態は、停止音演出に合わせて演出表示装置２８による停止表示演出や各種ランプ部１７〜１９，２７ｂによる停止発光演出や演出用可動体Ｋによる可動体演出を実行可能に構成することもできる。
【０１４９】
・実施形態では、連続予告演出の変動サイクルにおいて、該変動サイクルが継続することを遊技者に報知する特定の図柄組み合わせとなる、所謂、「チャンス目」を導出する構成を採用してもよい。例えば、「チャンス目」とは、左列と中列の図柄が同一種類の図柄で右列の図柄が異なる図柄で、且つ右列の図柄が左列と中列と同一種類の図柄の上（表示順序で次）又は下（表示順序で前）に位置する図柄組み合わせである。すなわち、「チャンス目」は、画像表示部ＧＨに画像表示されている各列の図柄において、大当り表示結果に対して１列（右列）の図柄が１図柄分（前又は後に）ずれており、大当り表示結果となる表示態様、及びリーチ状態を形成する（リーチの図柄組み合わせによる）表示態様とは異なった、所謂、「ズレ目」である。なお、「チャンス目」を構成する図柄組み合わせは、遊技者が各種表示結果とは異なる図柄組み合わせであることを把握可能な表示結果であればよい。
【０１５０】
・また、実施形態では、連続予告演出の変動サイクルにおいて、該変動サイクルが継続することを遊技者に報知する専用の図柄を、例えば、中列に変動停止する条件下で、連続専用演出を継続させる（擬似連を継続させる）構成を採用してもよい。
【０１５１】
・実施形態は、１回の変動サイクルで図柄が変動開始して変動停止（仮停止）を２回以上（複数回）実行可能に構成することもできる。
・実施形態は、連続予告演出を伴う図柄変動ゲームにおいて、実行可能な変動サイクルの上限回数を変更してもよく、３回や５回以上にパチンコ遊技機のゲーム性に合わせて任意に変更することができる。
【０１５２】
・実施形態では、連続予告演出の実行に関する制御の一部を統括制御用ＣＰＵ４６ａで実行する構成としてもよく、各変動サイクルの実行指示や各図柄変動時間パターンに基づく演出内容の指示を、変動サイクル毎に実行指示する構成としてもよい。
【０１５３】
・実施形態では、連続予告演出の演出態様を任意に変更してもよく、遊技者が連続予告演出が実行されていることを把握可能であればよい。
・実施形態において、主制御用ＣＰＵ４５ａは、図柄変動ゲームの決定に関する各種乱数を、始動入賞口３５，３６の入賞時に全て主制御用ＲＡＭ４５ｃから取得するようにしてもよい。
【０１５４】
・実施形態において、変動パターンＰ１〜Ｐ４では、連続予告演出を伴わない図柄変動ゲームを定めているが擬似連回数を１回とする連続予告演出を伴う構成とすることもできる。この場合には、擬似連回数を１回とする連続予告演出の実行可否に関しては統括制御用ＣＰＵ４６ａによって決定する構成としてもよい。
【０１５５】
・また、連続予告演出に関しては、実行可否や実行回数や通常変動サイクルを挟むタイミングなどの決定を統括制御用ＣＰＵ４６ａが全面的に決定する構成を採用することもできる。この場合に統括制御用ＣＰＵ４６ａは、連続予告演出の実行可否や実行回数や通常変動サイクルを挟むタイミングを変動パターンに基づいて特定してもよいし変動パターンにかかわらず抽選などによって決定する構成としてもよい。
【０１５６】
・実施形態では、図８（ａ）〜（ｃ）に示すように、はずれリーチ演出用の変動パターンの場合と大当り演出用の変動パターンの場合で、図柄変動時間パターンを選択する際の選択率を同一に設定したが、選択率を異なるように設定してもよい。このようにすることで、連続予告演出が出現した場合には、変動サイクルの実行回数のみならず、図柄変動時間パターンによっても大当りへの期待感を変化させることができ、演出の興趣を高めることができる。また、図柄変動時間パターンの選択率は、サブ統括制御基板４６側で管理されているので、図柄変動時間パターンの選択率を変更する際には主制御基板４５側の変更が不要であって、サブ統括制御基板４６側の変更（乱数振分け）で対応でき、変更を容易に行うことができる。
【０１５７】
・実施形態では、図８（ａ）〜（ｃ）に示すように、はずれリーチ演出用の変動パターンと大当り演出用の変動パターンに対して同じ数だけ図柄変動時間パターンを対応付けている。例えば、図８（ｂ）では、変動パターンＰ７に対して３種類の図柄変動時間パターンＢ１〜Ｂ３を対応付けているとともに、変動パターンＰ８に対して３種類の図柄変動時間パターンＢ１〜Ｂ３を対応付けている。この構成に代えて、連続予告演出を構成する変動サイクルの実行回数が同じ変動パターンに対し、はずれリーチ演出用の変動パターンと大当り演出用の変動パターンのそれぞれに対応付ける図柄変動時間パターンの数を変更してもよい。例えば、図８（ｂ）において変動パターンＰ７に対し図柄変動時間パターンＢ１，Ｂ２の２種類の図柄変動時間パターンを対応付けるとともに、変動パターンＰ８に対し図柄変動時間パターンＢ１〜Ｂ３の３種類の図柄変動時間パターンを対応付けてもよい。このように構成すれば、連続予告演出の出現態様によって大当りが確定するようなケースを作り出すことができる。また、図柄変動時間パターンの対応付けは、サブ統括制御基板４６側で管理されているので、図柄変動時間パターンの対応付けを変更する際には主制御基板４５側の変更が不要であって、サブ統括制御基板４６側の変更（図柄変動時間パターンの対応付け）で対応でき、変更を容易に行うことができる。
【０１５８】
・実施形態では、図９に示すように、はずれリーチ演出用の変動パターンの場合と大当り演出用の変動パターンの場合で、演出画像パターンを選択する際の選択率を同一に設定したが、選択率を異なるように設定してもよい。また、演出画像パターンの選択率は、サブ統括制御基板４６側で管理されているので、演出画像パターンの選択率を変更する際には主制御基板４５側の変更が不要であって、サブ統括制御基板４６側の変更（乱数振分け）で対応でき、変更を容易に行うことができる。
【０１５９】
・実施形態では、図９に示すように、変動パターンＰ９，Ｐ１０（グループＣ）において、はずれリーチ演出用の変動パターンＰ９と大当り演出用の変動パターンＰ１０に対応付けた演出画像パターンの数が異なっているが、対応付ける演出画像パターンの数を同じ数にしてもよい。また、変動パターンＰ５，Ｐ６（グループＡ）や、変動パターンＰ７，Ｐ８（グループＢ）の場合において、対応付ける演出画像パターンの数を異なる数にしてもよい。演出画像パターンの対応付けは、サブ統括制御基板４６側で管理されているので、演出画像パターンの対応付けを変更する際には主制御基板４５側の変更が不要であって、サブ統括制御基板４６側の変更（演出画像パターンの対応付け）で対応でき、変更を容易に行うことができる。
【０１６０】
・実施形態において、連続予告演出を伴わない変動パターン（例えば、変動パターンＰ１など）が選択された際に、「通常変動」の変動サイクルや「短縮変動」の変動サイクル、すなわち擬似はずれ変動を実行するか否かを抽選で決定し、その抽選に当選した場合には擬似はずれ変動を実行させるようにしてもよい。このように構成すれば、連続予告演出の出現率を全体的に高めることができ、遊技者が連続予告演出を目にする機会を増やすことができる。
【０１６１】
・実施形態において、確変状態中や時短状態中は連続予告演出を出現させないように構成してもよい。このように構成するためには、例えば、確変状態中や時短状態中の変動パターンを選択するための変動パターン振分けテーブルを設け、当該テーブルには連続予告演出を伴わない変動パターンのみを振分ける。通常、確変状態中や時短状態中は、単位時間当りの図柄変動ゲームの消化率を高めるために、大当り判定ではずれを決定している場合の図柄変動ゲームの変動時間を、確変状態や時短状態ではない通常状態時の変動時間よりも短縮している。このため、確変状態中や時短状態中に連続予告演出を出現させると、その出現によって図柄変動ゲームの変動時間が長くなり、消化率を下げてしまう。特に、連続予告演出を伴う図柄変動ゲームがはずれとなる場合には、次回の大当りを早く獲得すべく遊技を行っている遊技者にとっては効率を妨げられたかのように感じられる。したがって、このような構成を採用することで、確変状態中や時短状態中における遊技者の興趣の低下を抑制することができる。
【０１６２】
・実施形態において、連続予告演出を構成する変動サイクルの第１変動停止時間を２種類に代えて、３種類や４種類などに変更してもよい。例えば、前記実施形態における「通常変動」の変動サイクルと「短縮変動」の変動サイクルに加えて、「短縮変動」よりも第１変動停止時間をさらに短くした「超短縮変動」の変動サイクルを作り、これら３つの変動サイクルを組み合わせて図柄変動時間パターンを構成してもよい。これによれば、最終回の変動サイクルにて図柄の変動開始から最初の図柄の変動停止までの時間が異なる図柄変動時間パターンを３種類構成することができる。
【０１６３】
・また、前述のように２種類以上の変動サイクルを有する場合には、図柄変動時間パターンとして、例えば、２種類の変動サイクルを組み合わせた図柄変動時間パターンと、３種類の変動サイクルを組み合わせた図柄変動時間パターンを混在させるようにしてもよい。このように構成すれば、演出をさらに多様化することができる。
【０１６４】
・実施形態では、演出表示装置２８を液晶式としたが、ドットマトリクス式や７セグメントＬＥＤ式の演出表示装置としてもよいし、ドラム式の演出表示装置としてもよい。
・実施形態において、サブ統括制御基板４６の統括制御用ＣＰＵ４６ａが実行する連続予告演出に係る各種制御（図柄変動時間パターンの決定や演出画像パターンの決定など）を、演出表示制御基板４７の表示制御用ＣＰＵ４７ａが実行するようにしてもよい。この場合、サブ統括制御基板４６はパチンコ遊技機１０に装着されていてもよいし、装着されていなくてもよい。
【０１６５】
・実施形態では、変動パターンを決定することによって連続予告演出の実行可否及び変動サイクルの実行回数が決定されるようになっているが、連続予告演出の実行可否及び変動サイクルの実行回数の決定をサブ統括制御基板４６の統括制御用ＣＰＵ４６ａが行うようにしてもよい。この場合、統括制御用ＣＰＵ４６ａは、主制御用ＣＰＵ４５ａが選択した変動パターンの種類をもとに連続予告演出の実行可否を判定し、実行可の場合には変動パターンの変動時間をもとに変動サイクルの実行回数を決定する。
【０１６６】
・実施形態において、図柄変動時間パターンや、演出画像パターンについても変動パターンに対して１対１の関係で対応付け、変動パターンを決定することによって連続予告演出の実行可否、変動サイクルの実行回数、図柄変動時間パターン及び演出画像パターンが決定されるようにしてもよい。
【０１６７】
・実施形態では、図柄変動時間パターンを、１回の「通常変動」の変動サイクルと１回以上の「短縮変動」の変動サイクルを組み合わせて構成しているが、１つの図柄変動時間パターン中に複数回の「通常変動」の変動サイクルを含めてもよい。但し、変動サイクルの実行回数が同じ場合の図柄変動時間パターンについては、最終回の変動サイクルにおいて図柄の変動開始から最初の図柄の変動停止までの時間が異なる図柄変動時間パターンを２種類以上用意する。
【０１６８】
・実施形態において、演出表示装置２８における図柄の変動停止順序を変更してもよい。例えば、左列→中列→右列の順に図柄の変動を停止させてもよい。この場合、リーチは、左列の図柄と中列の図柄が同一図柄となって導出されることにより形成される。
【０１６９】
・実施形態において、「短縮はずれ変動」や「短縮変動」の変動サイクルの変動態様を、全列がほぼ同時に変動を停止させるように変更してもよい。この場合、全列の変動を停止させる時間が前記実施形態における第１変動停止時間に相当する。
【０１７０】
・実施形態では、「通常変動」や「短縮変動」の変動サイクルの相違を、図柄変動ゲームの開始から最初の図柄（第１変動停止列）の変動停止までの時間が異なるものと規定しているが、「通常変動」や「短縮変動」の変動サイクルの相違をリーチ状態を認識し得るリーチ図柄を形成可能な図柄の変動停止までの時間が異なるようにしてもよい。具体的に言えば、前記実施形態においては、第１変動停止列と第２変動停止列の変動停止によって導出された図柄が同一図柄の場合にリーチ状態を認識し得るので、「通常変動」や「短縮変動」の各変動サイクルにおける第２変動停止時間を異なるようにしてもよい。この場合、図柄変動時間は、第２変動停止時間となる。リーチ図柄は複数個の図柄で構成され、本実施形態では変動停止順序が１番目となる左列の図柄と２番目となる右列の図柄からなる２個の図柄でリーチ図柄が構成される。
【０１７１】
・実施形態において、第１変動停止時間ＴＬ１，ＴＬ２を変更してもよい。例えば、「短縮はずれ変動」及び「短縮変動」の変動サイクルにおける第１変動停止時間ＴＬ２を「通常はずれ変動」及び「通常変動」の変動サイクルにおける第１変動停止時間ＴＬ１の３分の１の時間に設定してもよい。すなわち、第１変動停止時間ＴＬ１よりも第１変動停止時間ＴＬ２の方が短ければ、第１変動停止時間ＴＬ１と第１変動停止時間ＴＬ２の設定は任意に変更してもよい。
【０１７２】
・実施形態において、パチンコ遊技機１０が再抽選演出を実行可能に構成されている場合、最終回の変動サイクルにて仮停止図柄からなる大当り図柄を導出し、その後に再抽選演出にて飾り図柄用の停止図柄指定コマンドで指示された図柄（大当り図柄）を導出し、確定停止表示させてもよい。再抽選演出は、大当りを認識し得る仮の大当り図柄を一旦導出した後、その導出した大当り図柄を再び変動させて最終的な大当り図柄を導出する演出である。
【０１７３】
次に、上記実施形態及び別例から把握できる技術的思想を以下に追記する。
（イ）前記実行回数に対応する複数の図柄変動時間パターンは、選択率が異なるように設定されている請求項１〜請求項６のうちいずれか一項に記載の遊技機。
【０１７４】
（ロ）前記最終回の変動サイクルでは、予め定めた特定列の図柄が同一図柄となるリーチが形成された後にリーチ演出が実行されるようになっており、前記リーチ演出は、前記連続予告演出を構成する前記変動サイクルの実行回数が多いほど、大当り期待度を高く設定したリーチ演出が実行される請求項１〜請求項６、及び前記技術的思想（イ）のうちいずれか一項に記載の遊技機。
【符号の説明】
【０１７５】
１０…パチンコ遊技機、２８…演出表示装置、３０…特別図柄表示装置、３２…特別図柄保留記憶表示装置、３５…上始動入賞口、３６…下始動入賞口、４５…主制御基板、４５ａ…主制御用ＣＰＵ、４５ｂ…主制御用ＲＯＭ、４５ｃ…主制御用ＲＡＭ、４６…サブ統括制御基板、４６ａ…統括制御用ＣＰＵ、４６ｂ…統括制御用ＲＯＭ、４６ｂ…統括制御用ＲＡＭ、４７…演出表示制御基板、４７ａ…表示制御用ＣＰＵ、４７ｂ…表示制御用ＲＯＭ、４７ｃ…表示制御用ＲＡＭ、ＹＢ…遊技盤、Ｐ１〜Ｐ４，Ｐ５−１〜５−３，Ｐ６−１〜６−３，Ｐ７−１〜７−２，Ｐ８−１〜８−２，Ｐ９，Ｐ１０…変動パターン、Ａ１〜Ａ２，Ｂ１〜Ｂ３，Ｃ１〜Ｃ４…図柄変動時間パターン。
【図１】
2010279559.tif 000003
【図２】
2010279559.tif 000004
【図３】
2010279559.tif 000005
【図４】
2010279559.tif 000006
【図５】
2010279559.tif 000007
【図６】
2010279559.tif 000008
【図７】
2010279559.tif 000009
【図８】
2010279559.tif 000010
【図９】
2010279559.tif 000011
【図１０】
2010279559.tif 000012
【図１１】
2010279559.tif 000013
【図１２】
2010279559.tif 000014